(57)【特許請求の範囲】
【請求項１】
光伝送路を介して接続された複数の加入者側装置から光信号として送られてくる上り制御フレームを含む上りフレームを電気信号に変換する複数の光トランシーバと、
前記複数の光トランシーバによって電気信号に変換された上りフレームを再生する複数のフレーム再生回路と、
前記複数のフレーム再生回路によって再生された上りフレームに含まれている上り制御フレームに所定の処理を行う複数の制御フレーム処理回路と、
前記複数の加入者側装置からの上りフレームに含まれている上り制御フレームをそのフレームに付されている情報に基づいて前記複数の制御フレーム処理回路のうちの所定の制御フレーム処理回路に振り分ける第１の上り振り分け回路と、
前記上り制御フレームが振り分けられた前記制御フレーム処理回路より出力される下り制御フレームを前記複数のフレーム再生回路のうちの所定のフレーム再生回路に振り分ける第１の下り振り分け回路とを備え、
前記第１の上り振り分け回路は、
前記複数の加入者側装置からの上りフレームに含まれている上り制御フレームをそのフレームに付されている通信ポートの番号に基づいて前記複数の制御フレーム処理回路のうちの所定の制御フレーム処理回路に振り分ける上り制御フレーム振り分け回路を備える
ことを特徴とする光伝送システムにおける局側装置。
【請求項２】
光伝送路を介して接続された複数の加入者側装置から光信号として送られてくる上り制御フレームを含む上りフレームを電気信号に変換する複数の光トランシーバと、
前記複数の光トランシーバによって電気信号に変換された上りフレームを再生する複数のフレーム再生回路と、
前記複数のフレーム再生回路によって再生された上りフレームに含まれている上り制御フレームに所定の処理を行う複数の制御フレーム処理回路と、
前記複数の加入者側装置からの上りフレームに含まれている上り制御フレームをそのフレームに付されている情報に基づいて前記複数の制御フレーム処理回路のうちの所定の制御フレーム処理回路に振り分ける第１の上り振り分け回路と、
前記上り制御フレームが振り分けられた前記制御フレーム処理回路より出力される下り制御フレームを前記複数のフレーム再生回路のうちの所定のフレーム再生回路に振り分ける第１の下り振り分け回路とを備え、
前記第１の下り振り分け回路は、
前記上り制御フレームが振り分けられた前記制御フレーム処理回路より出力される下り制御フレームを予め設定されている前記フレーム再生回路に振り分ける下り制御フレーム振り分け回路を備える
ことを特徴とする光伝送システムにおける局側装置。
【請求項３】
光伝送路を介して接続された複数の加入者側装置から光信号として送られてくる上り制御フレームを含む上りフレームを電気信号に変換する複数の光トランシーバと、
前記複数の光トランシーバによって電気信号に変換された上りフレームを再生する複数のフレーム再生回路と、
前記複数のフレーム再生回路によって再生された上りフレームに含まれている上り制御フレームに所定の処理を行う複数の制御フレーム処理回路と、
前記複数の加入者側装置からの上りフレームに含まれている上り制御フレームをそのフレームに付されている情報に基づいて前記複数の制御フレーム処理回路のうちの所定の制御フレーム処理回路に振り分ける第１の上り振り分け回路と、
前記上り制御フレームが振り分けられた前記制御フレーム処理回路より出力される下り制御フレームを前記複数のフレーム再生回路のうちの所定のフレーム再生回路に振り分ける第１の下り振り分け回路とを備え、
前記第１の下り振り分け回路は、
前記上り制御フレームが振り分けられた前記制御フレーム処理回路より出力される下り制御フレームをそのフレームに付されている通信ポートの番号に基づいて前記複数のフレーム再生回路のうちの所定のフレーム再生回路に振り分ける下り制御フレーム振り分け回路を備える
ことを特徴とする光伝送システムにおける局側装置。
【請求項４】
光伝送路を介して接続された複数の加入者側装置から光信号として送られてくる上り制御フレームを含む上りフレームを電気信号に変換する複数の光トランシーバと、
前記複数の光トランシーバによって電気信号に変換された上りフレームを再生する複数のフレーム再生回路と、
前記複数のフレーム再生回路によって再生された上りフレームに含まれている上り制御フレームに所定の処理を行う複数の制御フレーム処理回路と、
前記複数の加入者側装置からの上りフレームに含まれている上り制御フレームをそのフレームに付されている情報に基づいて前記複数の制御フレーム処理回路のうちの所定の制御フレーム処理回路に振り分ける第１の上り振り分け回路と、
前記上り制御フレームが振り分けられた前記制御フレーム処理回路より出力される下り制御フレームを前記複数のフレーム再生回路のうちの所定のフレーム再生回路に振り分ける第１の下り振り分け回路とを備え、
前記第１の下り振り分け回路は、
上位装置から送られてくる下りデータフレームに所定の処理を行う複数の下りデータフレーム処理回路と、
前記上位装置から送られてくる下りデータフレームをそのフレームに付されている情報に基づいて前記複数の下りデータフレーム処理回路のうちの所定の下りデータフレーム処理回路に振り分ける下りデータフレーム処理回路振り分け回路と、
前記下りデータフレームが振り分けられた前記下りデータフレーム処理回路より出力される下りデータフレームを予め設定されている前記フレーム再生回路に振り分ける下りデータフレーム振り分け回路とを備える
ことを特徴とする光伝送システムにおける局側装置。
【請求項５】
光伝送路を介して接続された複数の加入者側装置から光信号として送られてくる上り制御フレームを含む上りフレームを電気信号に変換する複数の光トランシーバと、
前記複数の光トランシーバによって電気信号に変換された上りフレームを再生する複数のフレーム再生回路と、
前記複数のフレーム再生回路によって再生された上りフレームに含まれている上り制御フレームに所定の処理を行う複数の制御フレーム処理回路と、
前記複数の加入者側装置からの上りフレームに含まれている上り制御フレームをそのフレームに付されている情報に基づいて前記複数の制御フレーム処理回路のうちの所定の制御フレーム処理回路に振り分ける第１の上り振り分け回路と、
前記上り制御フレームが振り分けられた前記制御フレーム処理回路より出力される下り制御フレームを前記複数のフレーム再生回路のうちの所定のフレーム再生回路に振り分ける第１の下り振り分け回路と、
前記複数のフレーム再生回路によって再生された上りフレームに所定の処理を行う複数のフレーム処理回路と、
前記複数の加入者側装置からの上りフレームをそのフレームに付されている情報に基づいて前記複数のフレーム処理回路のうちの所定のフレーム処理回路に振り分ける第２の上り振り分け回路とを備え、
前記第１の上り振り分け回路は、
前記上りフレームが振り分けられた前記フレーム処理回路より出力される上りフレームに含まれている上り制御フレームをそのフレームに付されている情報に基づいて前記複数の制御フレーム処理回路のうちの所定の制御フレーム処理回路に振り分ける上り制御フレーム振り分け回路を備える
ことを特徴とする光伝送システムにおける局側装置。
【請求項６】
請求項５に記載された光伝送システムにおける局側装置において、
前記複数の制御フレーム処理回路より出力される下り制御フレームに所定の処理を行う複数の下りフレーム処理回路と、
前記上り制御フレームが振り分けられた前記制御フレーム処理回路より出力される下り制御フレームを前記複数の下りフレーム処理回路のうちの所定の下りフレーム処理回路に振り分ける第２の下り振り分け回路と
を備えることを特徴とする光伝送システムにおける局側装置。
【請求項７】
請求項６に記載された光伝送システムにおける局側装置において、
前記第２の下り振り分け回路は、
上位装置から送られてくる下りデータフレームに所定の処理を行う複数の下りデータフレーム処理回路と、
前記上位装置から送られてくる下りデータフレームをそのフレームに付されている情報に基づいて前記複数の下りデータフレーム処理回路のうちの所定の下りデータフレーム処理回路に振り分ける下りデータフレーム処理回路振り分け回路と、
前記下りデータフレームが振り分けられた前記下りデータフレーム処理回路より出力される下りデータフレームを予め設定されている前記下りフレーム処理回路に振り分ける下りデータフレーム振り分け回路と
を備えることを特徴とする光伝送システムにおける局側装置。
【請求項８】
請求項１〜７の何れか１項に記載の局側装置を備えた光伝送システム。
【発明の詳細な説明】
【技術分野】
【０００１】
この発明は、光伝送路（ＰＯＮ：Passive Optical Network）を介して接続された複数の加入者側装置（ＯＮＵ：Optical Network Unit）と上位装置との間でフレームを転送処理する光伝送システムにおける局側装置（ＯＬＴ：Optical Line Terminal）及び光伝送システムに関し、特に、多数のＯＮＵとの効率的な通信を可能とするＯＬＴ及び光伝送システムに関するものである。
【背景技術】
【０００２】
この種の光伝送システム（ＰＯＮシステム）の一例を図２７に示す。同図において、４０１はＯＬＴ（局側装置）、４０２は光スプリッタ、４０３はＯＮＵ（加入者側装置）、４０４は外部ネットワーク（上位装置）、４０５はＯＮＵ４０３と光スプリッタ４０２との間に敷設された光ファイバ、４０６は光スプリッタ４０２とＯＬＴ４０１との間に敷設された光ファイバ、４０７はＯＬＴ４０１とＯＮＵ４０３との間の光伝送路（ＰＯＮ区間）であり、ＯＬＴ４０１は光スプリッタ４０２を介して接続された複数（Ｍ個）のＯＮＵ４０３と外部ネットワーク４０４との間でフレームを転送処理する。【０００３】
このＰＯＮシステムでは、複数のＯＮＵ４０３から光信号として送信される上りフレームが、光スプリッタ４０２で束ねられてＯＬＴ４０１に届く。ＯＬＴ４０１は、複数のＯＮＵ４０３から送信される上りフレームが光ファイバ４０６上で衝突しないようにＯＮＵ４０３が送信する上りフレームの送信タイミング制御を行ったり、ＯＮＵ４０３からの上りフレームの外部ネットワーク４０４への転送処理や外部ネットワーク４０４からの下りフレームのＯＮＵ４０３への転送処理を行ったりする。【０００４】
図２８にＯＬＴ４０１の一例を示す。ＯＬＴ４０１は、光トランシーバ４０８と、フレーム再生回路４０９と、ＰＯＮ制御回路４１０とを備えている。光トランシーバ４０８は、ＯＮＵ４０３への下りフレームの電気光変換とＯＮＵ４０３からの上りフレームの光電気変換を行う。フレーム再生回路４０９はＦＥＣ（Forward Error Correction）や暗号など、電気信号からフレームを再生するための処理を行う。なお、光トランシーバ４０８の入出力部分のことをＰＯＮポート（通信ポート）と呼ぶ。図２８に示したＯＬＴ４０１は１ＰＯＮポート構成のＯＬＴである。【０００５】
図２９にＰＯＮ制御回路４１０の一例を示す。ＰＯＮ制御回路４１０はデータフレーム処理回路４１１と制御フレーム処理回路４１２とを備えている。データフレーム処理回路４１１は、ＯＮＵ４０３と外部ネットワーク４０４との間のデータフレームを処理する。制御フレーム処理回路４１２は、ＯＮＵ４０３とＯＬＴ４０１との間の制御フレームを処理する。ＯＮＵ４０３からの上りフレームには上りデータフレームと上り制御フレームとが含まれており、外部ネットワーク４０４からの下りフレームには下りデータフレームが含まれている。【０００６】
データフレーム処理回路４１１では、バッファリング処理やブリッジ処理などを行う。制御フレーム処理回路４１２では、各ＯＮＵ４０３とのリンク確立・管理の為の処理や上りフレームの送信タイミング制御の為のＤＢＡ（Dynamic Bandwidth Allocation）処理を行って下り制御フレームを生成し、この生成した下り制御フレームを各ＯＮＵ４０３へと送信する。すなわち、データフレームは上位・下位へとそれぞれ転送されるのに対し、制御フレームは制御フレーム処理回路４１２内で折り返して各ＯＮＵ４０３へと送信される。【０００７】
このようなＰＯＮシステムでは、ＰＯＮシステム全体のコストを低減することを目的として、１つのＯＬＴに複数のＰＯＮポートを収容するようにしたシステム（多ポートＰＯＮシステム）が提案されている（例えば、非特許文献１参照）。多ポートＰＯＮシステムでは、１ＯＬＴあたりのＯＮＵ収容数を増やすことが可能な為、ＯＮＵ１台あたりのシステムコストを低減することができる。【０００８】
図３０に関連する多ポートＰＯＮシステムにおけるＯＬＴの一例を示す。この多ポートＰＯＮシステムにおけるＯＬＴ４０１は、Ｎ個（Ｎは２以上の整数）のＰＯＮポートを有し、ＰＯＮポートと同数のＮ個の光トランシーバ４０８（４０８−１〜４０８−Ｎ）と、Ｎ個のフレーム再生回路４０９（４０９−１〜４０９−Ｎ）と、Ｎ個のＰＯＮ制御回路４１０（４１０−１〜４１０−Ｎ）とを備えている。【０００９】
この多ポートＰＯＮシステムにおけるＯＬＴ４０１は、１ＰＯＮポートあたりＭ台のＯＮＵ４０３を収容することが可能で、最大（Ｎ×Ｍ）台のＯＮＵ４０３を収容することができる。１つのＰＯＮ制御回路４１０内の制御フレーム処理回路４１２は、Ｍ台のＯＮＵ４０３、またはＭ台のＯＮＵ４０３に識別子として割り当てられる論理ＩＤ（ＬＬＩＤ）数のリンク確立・管理処理やＤＢＡ処理が可能なリソース（ハードウェアリソース、ＣＰＵ能力）を有しており、このＰＯＮ制御回路４１０のリソース（処理能力）で１ＰＯＮポートあたりの最大の収容数（Ｍ台）が定められる。【００１０】
なお、図２８〜図３０において、４１３は上りデータフレーム、４１４は下りデータフレーム、４１５は上り制御フレーム、４１６は下り制御フレームを示す。【００１１】
しかしながら、実際の多ポートＰＯＮシステムにおいては、ＰＯＮポート毎に収容すべきＯＮＵ数またはＬＬＩＤ数が収容数の限界値（Ｍ台）になるとは考えにくい。すると、使用しないリソースが発生するため、ＰＯＮ制御回路の利用効率が悪くなる。また、利用効率の低いＰＯＮ制御回路を使用するのは電力の観点で無駄が生じる。
【先行技術文献】
【非特許文献】
【００１２】
【非特許文献１】「CS8124 Quad 10G EPON OLT」、〔平成２８年７月４日検索〕、インターネット＜URL：http://www.cortina-access.com/pon-fttx/item/1001-cs8124＞
【発明の概要】
【発明が解決しようとする課題】
【００１３】
本発明は、このような課題を解決するためになされたもので、その目的とするところは、ＰＯＮ制御回路の利用効率を高めるとともに、使用する必要のないＰＯＮ制御回路を生じさせるようにして、電力の無駄をなくすことが可能な光伝送システムにおける局側装置及び光伝送システムを提供することにある。
【課題を解決するための手段】
【００１４】
このような目的を達成するために本発明は、光伝送路を介して接続された複数の加入者側装置から光信号として送られてくる上り制御フレームを含む上りフレームを電気信号に変換する複数の光トランシーバと、 複数の光トランシーバによって電気信号に変換された上りフレームを再生する複数のフレーム再生回路と、複数のフレーム再生回路によって再生された上りフレームに含まれている上り制御フレームに所定の処理を行う複数の制御フレーム処理回路と、複数の加入者側装置からの上りフレームに含まれている上り制御フレームをそのフレームに付されている情報に基づいて複数の制御フレーム処理回路のうちの所定の制御フレーム処理回路に振り分ける上り振り分け回路と、上り制御フレームが振り分けられた制御フレーム処理回路より出力される下り制御フレームを複数のフレーム再生回路のうちの所定のフレーム再生回路に振り分ける下り振り分け回路とを備えることを特徴とする。
【発明の効果】
【００１５】
本発明によれば、複数の加入者側装置からの上りフレームに含まれている上り制御フレームをそのフレームに付されている情報に基づいて所定の制御フレーム処理回路に振り分ける上り振り分け回路と、上り制御フレームが振り分けられた制御フレーム処理回路より出力される下り制御フレームを所定のフレーム再生回路に振り分ける下り振り分け回路とを局側装置に設けるようにしたので、処理能力に余裕のあるＰＯＮ制御回路に上り制御フレームを振り分けるようにして、ＰＯＮ制御回路の利用効率を高めるとともに、使用する必要のないＰＯＮ制御回路を生じさせるようにして、電力の無駄をなくすことが可能となる。
【図面の簡単な説明】
【００１６】
【図１】図１は、本発明に係る光伝送システムにおける局側装置（ＯＬＴ）の実施例１，２の基本構成を示す図である。
【図２】図２は、実施例１，２のＯＬＴを用いた光伝送システム（多ポートＰＯＮシステム）の一例を示す図である。
【図３】図３は、実施例１のＯＬＴにおける上り振り分け回路の一例を示す図である。
【図４】図４は、実施例１，２のＯＬＴにおける下り振り分け回路の一例を示す図である。
【図５】図５は、実施例１のＯＬＴの動作例を説明する図である。
【図６】図６は、実施例２のＯＬＴにおける上り振り分け回路の一例を示す図である。
【図７】図７は、実施例２のＯＬＴの動作例を説明する図である。
【図８】図８は、本発明に係る光伝送システムにおける局側装置（ＯＬＴ）の実施例３の基本構成を示す図である。
【図９】図９は、実施例３のＯＬＴにおける上り振り分け回路の上り制御フレームの処理に係わる構成例を示す図である。
【図１０】図１０は、実施例３のＯＬＴにおける上り振り分け回路の上りデータフレームの処理に係わる構成例を示す図である。
【図１１】図１１は、実施例３のＯＬＴにおける下り振り分け回路の下り制御フレームの処理に係わる構成例を示す図である。
【図１２】図１２は、実施例３のＯＬＴにおける下り振り分け回路の下りデータフレームの処理に係わる構成例を示す図である。
【図１３】図１３は、実施例３のＯＬＴの動作例を説明する図である。
【図１４】図１４は、実施例３のＯＬＴにおける下り振り分け回路の下りデータフレームの処理に係わる動作例を説明する図である。
【図１５】図１５は、本発明に係る光伝送システムにおける局側装置（ＯＬＴ）の実施例４の基本構成を示す図である。
【図１６】図１６は、実施例４のＯＬＴにおける上り振り分け回路＃２の上り制御フレームの処理に係わる構成例を示す図である。
【図１７】図１７は、実施例４のＯＬＴにおける上り振り分け回路＃１の上り制御フレームの処理に係わる構成例を示す図である。
【図１８】図１８は、実施例４のＯＬＴにおける上り振り分け回路＃１の上りデータフレームの処理に係わる構成例を示す図である。
【図１９】図１９は、実施例４のＯＬＴにおける下り振り分け回路＃２の下り制御フレームの処理に係わる構成例を示す図である。
【図２０】図２０は、実施例４のＯＬＴにおける下り振り分け回路＃２の下りデータフレームの処理に係わる構成例を示す図である。
【図２１】図２１は、実施例４のＯＬＴにおける下り振り分け回路＃１の下りフレームの処理に係わる構成例を示す図である。
【図２２】図２２は、実施例４のＯＬＴの動作例を説明する図である。
【図２３】図２３は、実施例４のＯＬＴにおける下り振り分け回路＃２の下りデータフレームの処理に係わる動作例を説明する図である。
【図２４】図２４は、ＰＯＮポート番号と振り分け先のＰＯＮ制御回路番号との関係を示すテーブルを例示する図である。
【図２５】図２５は、振り分け先のフレーム再生回路番号が書き込まれたテーブルを例示する図である。
【図２６】図２６は、ＬＬＩＤと振り分け先のＰＯＮ制御回路番号との関係を示すテーブルを例示する図である。
【図２７】図２７は、光伝送システム（１ポートのＰＯＮシステム）の一例を図である。
【図２８】図２８は、１ポートのＰＯＮシステムにおけるＯＬＴの一例を示す図である。
【図２９】図２９は、ＰＯＮ制御回路の一例を示す図である。
【図３０】図３０は、関連する多ポートＰＯＮシステムにおけるＯＬＴの一例を示す図である。
【発明を実施するための形態】
【００１７】
以下、本発明の実施例を図面に基づいて詳細に説明する。以下では、４つの実施例（実施例１，２，３，４）を挙げて、本発明に係る光伝送システムにおける局側装置（ＯＬＴ）を説明する。なお、実施例１，２において、その基本構成は同じとされている。また、以下の説明では、本発明の権利範囲に含まれないものも実施例として記載されているが、ここでは全て実施例として説明する。
【００１８】
図１に実施例１，２のＯＬＴの基本構成を示す。実施例１，２のＯＬＴ１は、Ｎ個（Ｎは２以上の整数）のＰＯＮポートを有し、ＰＯＮポートと同数のＮ個の光トランシーバ１１（１１−１〜１１−Ｎ）と、Ｎ個のフレーム再生回路１２（１２−１〜１２−Ｎ）と、Ｎ個のＰＯＮ制御回路１３（１３−１〜１３−Ｎ）と、上り振り分け回路１４と、下り振り分け回路１５とを備えている。
【００１９】
なお、このＯＬＴ１には、このＯＬＴ１を用いた光伝送システム１００を図２に示すように、複数のＯＮＵ３が複数の光スプリッタ２（２−１〜２−Ｎ）を介して接続されており、複数のＯＮＵ３と複数の光スプリッタ２（２−１〜２−Ｎ）との間には光ファイバ５が敷設され、複数の光スプリッタ２（２−１〜２−Ｎ）とＯＬＴ１との間には光ファイバ６が敷設されている。７はＯＬＴ１とＯＮＵ３との間の光伝送路（ＰＯＮ区間）であり、ＯＬＴ１は複数の光スプリッタ２を介して接続された複数のＯＮＵ３と外部ネットワーク（上位装置）４との間でフレームを転送処理する。
【００２０】
また、ＯＬＴ１において、光トランシーバ１１は、ＯＮＵ３への下りフレームの電気光変換とＯＮＵ３からの上りフレームの光電気変換を行う。フレーム再生回路１２はＦＥＣ（Forward Error Correction）や暗号など、電気信号からフレームを再生するための処理を行う。ＰＯＮ制御回路１３は、ＯＮＵ３と外部ネットワーク４との間のデータフレームを処理したり、ＯＮＵ３とＯＬＴ１との間の制御フレームを処理したりする。ＯＮＵ３からの上りフレームには上りデータフレームと上り制御フレームとが含まれており、外部ネットワーク４０４からの下りフレームには下りデータフレームが含まれている。
【００２１】
なお、図１には、制御フレームの処理に係わる構成のみを示し、データフレームの処理に係わる構成については示していない。すなわち、ＯＮＵ３とＯＬＴ１との間の制御フレームを処理する構成のみを示している。このため、ＰＯＮ制御回路１３（１３−１〜１３−Ｎ）内の処理回路として、ＯＮＵ３とＯＬＴ１との間の制御フレームを処理する制御フレーム処理回路１３１（１３１−１〜１３１−Ｎ）しか示していない。
【００２２】
また、このＯＬＴ１は、図３０に示した例と比較し、上り振り分け回路１４と下り振り分け回路１５とを設けている点に特徴がある。また、実施例１，２のＯＬＴ１の異なる点は、上り振り分け回路１４の構成にある。以下、実施例１のＯＬＴ１をＯＬＴ１Ａとし、実施例２のＯＬＴ１をＯＬＴ１Ｂとする。また、実施例１のＯＬＴ１Ａにおける上り振り分け回路１４を１４Ａとし、実施例２のＯＬＴ１Ｂにおける上り振り分け回路１４を１４Ｂとする。
【００２３】
〔実施例１〕
実施例１のＯＬＴ１Ａにおいて、上り振り分け回路１４Ａは、フレーム再生回路１２−１〜１２−Ｎの何れか１つを通して入力される全てのＯＮＵ３からの上りフレーム（上り制御フレーム＋上りデータフレーム）を１つに束ねた重畳フレーム１０１を入力とし、この重畳フレーム１０１に束ねられている上り制御フレーム１０２をそのフレームに付されているＰＯＮポート番号に基づいて所定の制御フレーム処理回路１３へ振り分ける。
【００２４】
ここで、ＰＯＮポート番号はＯＮＵごとにあらかじめ定められた１〜Ｎの値であり、フレーム内のＯＮＵの個体識別番号等を読み替えて生成することもできる。下り振り分け回路１５は、上り制御フレーム１０２が振り分けられた制御フレーム処理回路１３より出力される下り制御フレーム１０３を予め設定されている所定のフレーム再生回路１２に振り分ける。
【００２５】
図３に上り振り分け回路１４Ａの一例を示す。上り振り分け回路１４Ａは、ＰＯＮポートと同数のＮ個の上り制御フレーム振り分け回路１４０（１４０−１〜１４０−Ｎ）を備えている。上り制御フレーム振り分け回路１４０（１４０−１〜１４０−Ｎ）は、ポート判定回路１４１（１４１−１〜１４１−Ｎ）と、出力先切替回路１４２（１４２−１〜１４２−Ｎ）とを備えている。ポート判定回路１４１−１〜１４１−Ｎは出力先切替回路１４２−１〜１４２−Ｎに対応して設けられている。
【００２６】
ポート判定回路１４１（１４１−１〜１４１−Ｎ）は、フレーム再生回路１２（１２−１〜１２−Ｎ）を通して重畳フレーム１０１が入力されると、その重畳フレーム１０１に束ねられている上り制御フレーム１０２のプリアンブル領域等に格納されているＰＯＮポート番号領域を抽出し、そのＰＯＮポート番号領域に書き込まれているＰＯＮポート番号の判定を行い、判定したＰＯＮポート番号に対応するＰＯＮ制御回路番号をその上り制御フレーム１０２の振り分け先として出力先切替回路１４２（１４２−１〜１４２−Ｎ）に対して指定する。
【００２７】
ポート判定回路１４１（１４１−１〜１４１−Ｎ）は、内部にメモリＭ１（Ｍ１1〜Ｍ１N）を備えており、このメモリＭ１（Ｍ１1〜Ｍ１N）に判定したＰＯＮポート番号に対応する振り分け先のＰＯＮ制御回路番号が書き込まれている。例えば、図２４にその一例を示すように、ＰＯＮポート番号と振り分け先のＰＯＮ制御回路番号との関係を示すテーブルＴＢ１が格納されている。
【００２８】
出力先切替回路１４２（１４２−１〜１４２−Ｎ）は、ポート判定回路１４１（１４１−１〜１４１−Ｎ）からの振り分け先の指定を受け、ポート判定回路１４１（１４１−１〜１４１−Ｎ）から送られてくるポート判定が終了した上り制御フレーム１０２を指定されたＰＯＮ制御回路１３に出力する。このような構成にすることで、同一のＰＯＮポート番号が付されている上り制御フレーム１０２を同一のＰＯＮ制御回路１３へと出力できる。
【００２９】
図４に下り振り分け回路１５の一例を示す。下り振り分け回路１５は、ＰＯＮポートと同数のＮ個の下り制御フレーム振り分け回路１５０（１５０−１〜１５０−Ｎ）を備えている。下り制御フレーム振り分け回路１５０（１５０−１〜１５０−Ｎ）は、出力先切替回路１５１（１５１−１〜１５１−Ｎ）と、振り分け先指定回路１５２（１５２−１〜１５２−Ｎ）とを備えている。振り分け先指定回路１５２−１〜１５２−Ｎは出力先切替回路１５１−１〜１５１−Ｎに対応して設けられている。
【００３０】
出力先切替回路１５１（１５１−１〜１５１−Ｎ）は、ＰＯＮ制御回路１３（１３−１〜１３−Ｎ）からの下り制御フレーム１０３を振り分け先指定回路１５２（１５２−１〜１５２−Ｎ）が指定する予め設定によって決められたフレーム再生回路１２へと出力する。振り分け先指定回路１５２（１５２−１〜１５２−Ｎ）は、内部にメモリＭ２（Ｍ２1〜Ｍ２N）を備えており、このメモリＭ２（Ｍ２1〜Ｍ２N）に振り分け先のフレーム再生回路番号が書き込まれている。例えば、図２５に示すように、振り分け先のフレーム再生回路番号が書き込まれたテーブルＴＢ２が格納されている。このような構成にすることで、同一のＰＯＮ制御回路１３からの下り制御フレーム１０３は全て、同一のフレーム再生回路１２へと出力できる。
【００３１】
次に、図５を用いて実施例１のＯＬＴ１Ａの動作例について説明する。具体的な例として、１ＰＯＮポートあたりの最大収容数が３２台の４ＰＯＮポートＯＬＴを想定する。すなわち、１つのＰＯＮ制御回路１３は３２台のＯＮＵ３に相当する処理能力を有し、ＯＬＴ１Ａは最大１２８台のＯＮＵ３を収容可能とする。また、このＯＬＴ１Ａに対し、ＰＯＮポート＃１〜＃４にはそれぞれ、２０台、１８台、１５台、１０台のＯＮＵ３が接続されているものとする。また、ＰＯＮポート＃１に片寄せしてシステム運用するものとし、全てのＯＮＵ３からの上りフレームは光信号の段階で１つに束ねられて重畳フレーム１０１とされ、光トランシーバ１１−１を通り、フレーム再生回路１２−１を通して、上り振り分け回路１４Ａに入力されるものとする。
【００３２】
上り振り分け回路１４Ａにおいて（図３参照）、ポート判定回路１４１−１は、フレーム再生回路１２−１（フレーム再生回路＃１）を通して重畳フレーム１０１が入力されると、その重畳フレーム１０１に束ねられている上り制御フレーム１０２に付されているＰＯＮポート番号の判定を行い、判定したＰＯＮポート番号に対応するＰＯＮ制御回路番号をその上り制御フレーム１０２の振り分け先として出力先切替回路１４２−１に対して指定する。
【００３３】
ここで、ポート判定回路１４１−１内のメモリＭ１（Ｍ１1）には、ＰＯＮポート＃１の番号が付された上り制御フレームと判定された場合はＰＯＮ制御回路１３−１（ＰＯＮ制御回路＃１）へ、ＰＯＮポート＃２の番号が付された上り制御フレームと判定された場合はＰＯＮ制御回路１３−２（ＰＯＮ制御回路＃２）へ、ＰＯＮポート＃３の番号が付された上り制御フレームおよびＰＯＮポート＃４の番号が付された上り制御フレームと判定された場合はＰＯＮ制御回路１３−３（ＰＯＮ制御回路＃３）へその上り制御フレームを出力するように、ＰＯＮポート番号に対応する振り分け先のＰＯＮ制御回路番号が書き込まれているものとする。
【００３４】
この場合、ポート判定回路１４１−１は、ＰＯＮポート＃１に接続された２０台のＯＮＵ３からの上り制御フレーム１０２をＰＯＮ制御回路１３−１（ＰＯＮ制御回路＃１）に振り分け、ＰＯＮポート＃２に接続された１８台のＯＮＵ３からの上り制御フレーム１０２をＰＯＮ制御回路１３−２（ＰＯＮ制御回路＃２）に振り分け、ＰＯＮポート＃３に接続された１５台のＯＮＵ３およびＰＯＮポート＃４に接続された１０台のＯＮＵ３からの上り制御フレーム１０２をＰＯＮ制御回路１３−３（ＰＯＮ制御回路＃３）に振り分ける。
【００３５】
これにより、ＰＯＮ制御回路１３−１（ＰＯＮ制御回路＃１）ではＯＮＵ２０台、ＰＯＮ制御回路１３−２（ＰＯＮ制御回路＃２）ではＯＮＵ１８台、ＰＯＮ制御回路１３−３（ＰＯＮ制御回路＃３）ではＯＮＵ２５台（＝１５台＋１０台）に相当する上り制御フレーム１０２がそれぞれ処理され、ＰＯＮ制御回路１３−１〜１３−３から処理後の下り制御フレーム１０３が下り振り分け回路１５へと出力される。
【００３６】
下り振り分け回路１５において（図４参照）、ＰＯＮ制御回路１３−１〜１３−３からの下り制御フレーム１０３は、出力先切替回路１５１−１〜１５１−３に入力される。出力先切替回路１５１−１〜１５１−３は、ＰＯＮ制御回路１３−１〜１３−３からの下り制御フレーム１０３を、振り分け先指定回路１５２−１〜１５２−３が指定する予め設定によって決められたフレーム再生回路１２へと振り分ける。
【００３７】
この例では、全ての振り分け先指定回路１５２（１５２−１〜１５２−Ｎ）のメモリＭ２（Ｍ２1〜Ｍ２N）に、振り分け先のフレーム再生回路１２として重畳フレーム１０１の出力元のフレーム再生回路１２−１が設定されている。これにより、下り振り分け回路１５へと入力された下り制御フレーム１０３は、全てフレーム再生回路１２−１（フレーム再生回路＃１）へと出力される。
【００３８】
このＯＬＴ１Ａでは、１ＰＯＮポートあたりの収容数３２台、ＯＬＴ全体の最大収容数１２８台に対して、計６３台のＯＮＵが収容されているが、本動作例の場合、重畳フレーム１０１を用いたＰＯＮポート＃１に片寄せしての運用により、１ＰＯＮポート当たりの収容数が仮想的に増加して６３台となる。これにより、使用しない回路に対して予め電源を遮断することができる。
【００３９】
すなわち、本動作例のように、重畳フレーム１０１の生成を光信号の段階で行った場合は、ＯＬＴ１Ａ内で使用する回路は光トランシーバ１１−１、フレーム再生回路１２−１、ＰＯＮ制御回路１３−１〜１３−３、上り振り分け回路１４Ａ、下り振り分け回路１５となり、その他の回路（光トランシーバ１１−２〜１１−４、フレーム再生回路１２−２〜１２−４、ＰＯＮ制御回路１３−４）の電源を遮断することが可能となる。
【００４０】
また、ＰＯＮポート＃３に接続された１５台のＯＮＵ３およびＰＯＮポート＃４に接続された１０台のＯＮＵ３からの上り制御フレーム１０２をＰＯＮ制御回路１３−３に振り分けて処理させることにより、ＰＯＮ制御回路１３−３の利用効率が高められる。また、ＰＯＮ制御回路１３−３の利用効率を高めることにより、使用する必要のないＰＯＮ制御回路としてＰＯＮ制御回路１３−４が生じており、このＰＯＮ制御回路１３−４の電源を予め遮断することにより、電力の無駄をなくすことができる。
【００４１】
なお、この例では、光信号の段階で重畳フレーム１０１の生成を行うものとしているが、光信号を電気信号に変換した後に重畳フレーム１０１の生成を行うようにしてもよい。例えば、光トランシーバ１１−１〜１１−４において光信号を電気信号に変換した後に重畳フレーム１０１を生成するようにした場合には、ＯＬＴ１Ａ内で使用する回路は上記に加え、光トランシーバ１１−２〜１１−４となる。この場合、その他の回路として、フレーム再生回路１２−２〜１２−４およびＰＯＮ制御回路１３−４の電源を遮断することが可能となる。いずれの場合においても、図３０に示した例と比較すると、電源を遮断可能なＯＬＴ内の回路を増やすことが可能な為、ＯＬＴの低電力化を実現できる。
【００４２】
また、光信号の段階で生成した重畳フレーム１０１を用いて片寄せした運用を行った際は、片寄せ対象ではないＰＯＮポートに対しては光ファイバを敷設する必要がなくなるので、余分な光ファイバの敷設をなくして、設備コストを押さえることも可能となる。
【００４３】
なお、この例では、下り振り分け回路１５の振り分け先指定回路１５２（１５２−１〜１５２−Ｎ）に振り分け先のフレーム再生回路１２を予め設定しておくものとしたが、これに限ることはない。例えば、上り振り分け回路１４Ａと同様に、ポート判定回路を設け、下り制御フレーム１０３に付されているＰＯＮポート番号に基づいて振り分け先のフレーム再生回路１２を指定できるような構成にしても良い。後述する実施例２でも同様である。
【００４４】
また、上述した動作例では、１ＰＯＮポート（ＰＯＮポート＃１）に片寄せして運用するシステム形態について説明したが、これに限られるものでもない。例えば、２ＰＯＮポートに片寄せする場合も有りうる。２ＰＯＮポートに片寄せする場合、全てのＯＮＵ３からの上りフレームを２つのグループに分けて束ねた２つの重畳フレームを２つのフレーム再生回路１２を通して上り振り分け回路１４Ａに入力し、この２つの重畳フレームに束ねられている上り制御フレームをそれぞれの上りフレームに付されているＰＯＮポート番号に基づいて所定のＰＯＮ制御回路１３へ振り分けるようにする。どのＰＯＮポートに片寄せし、どのＰＯＮポートに対応するフレーム再生回路１２へ重畳フレームを出力するかは、システム設計者が任意に決定できる。実施例２でも同様である。
【００４５】
また、上述した動作例において具体的な数値を用いて説明したが、動作例の数値はあくまでも一例であり、その他の値もとりうることは言うまでもない。実施例２でも同様である。
【００４６】
〔実施例２〕
次に、実施例２のＯＬＴ１Ｂについて説明する。実施例１のＯＬＴ１Ａでは、上り制御フレーム１０２をＰＯＮポート番号に基づいて振り分けるようにし、同一のＰＯＮポート番号が付されている上り制御フレーム１０２を全て同一のＰＯＮ制御回路１３で処理する構成としていた。そのため、同一のＰＯＮポート番号が付されている制御フレーム１０２がＰＯＮ制御回路１３の処理能力数に近い場合、他のＰＯＮポート番号の上り制御フレーム１０２を同一のＰＯＮ制御回路１３で処理することが困難であり、ＰＯＮ制御回路１３の利用効率が低くなる。
【００４７】
そこで、実施例２のＯＬＴ１Ｂでは、上り振り分け回路１４として、ＬＬＩＤ毎に上り制御フレーム１０２の振り分け先を決定する構成とした上り振り分け回路１４Ｂを用いる。これにより、同一のＰＯＮポート番号が付されている上り制御フレーム１０２でも、異なるＰＯＮ制御回路１３で処理できるようになり、ＰＯＮ制御回路１３の利用効率を高められる。その結果、電源遮断可能なＰＯＮ制御回路１３の個数が増加し、更なるＯＬＴの低電力化が期待できる。また、柔軟なシステム構成実現が可能となる。
【００４８】
実施例２のＯＬＴ１Ｂにおいて、下り振り分け回路１５の構成は実施例１のＯＬＴ１Ａと変わらない。実施例１との変更点は、上り振り分け回路１４の構成である。図６に、実施例２のＯＬＴ１Ｂで用いる上り振り分け回路１４Ｂの一例を示す。実施例１のＯＬＴ１Ａで用いた上り振り分け回路１４Ａ（図３）との差分は、上り制御フレーム振り分け回路１４０（１４０−１〜１４０−Ｎ）に、ポート判定回路１４１（１４１−１〜１４１−Ｎ）に代えて、ＰＯＮポートと同数のＮ個のＬＬＩＤ判定回路１４３（１４３−１〜１４３−Ｎ）を設けている点である。
【００４９】
ＬＬＩＤ判定回路１４３（１４３−１〜１４３−Ｎ）は、フレーム再生回路１２（１２−１〜１２−Ｎ）を通して重畳フレーム１０１が入力されると、その重畳フレーム１０１に束ねられている上り制御フレーム１０２のプリアンブル領域等に格納されているＬＬＩＤ領域を抽出し、そのＬＬＩＤ領域に書き込まれているＬＬＩＤの判定を行い、判定したＬＬＩＤに対応するＰＯＮ制御回路番号をその上り制御フレーム１０２の振り分け先として出力先切替回路１４２（１４２−１〜１４２−Ｎ）に対して指定する。
【００５０】
ＬＬＩＤ判定回路１４３（１４３−１〜１４３−Ｎ）は、内部にメモリＭ３（Ｍ３1〜Ｍ３N）を備えており、このメモリＭ３（Ｍ３1〜Ｍ３N）に判定したＬＬＩＤに対応する振り分け先のＰＯＮ制御回路番号が書き込まれている。例えば、図２６に示すように、ＬＬＩＤと振り分け先のＰＯＮ制御回路番号との関係を示すテーブルＴＢ３が格納されている。
【００５１】
出力先切替回路１４２（１４２−１〜１４２−Ｎ）は、ＬＬＩＤ判定回路１４３（１４３−１〜１４３−Ｎ）からの振り分け先の指定を受け、ＬＬＩＤ判定回路１４３（１４３−１〜１４３−Ｎ）から送られてくるＬＬＩＤ判定が終了した上り制御フレーム１０２を指定されたＰＯＮ制御回路１３に出力する。このような構成にすることで、任意の上り制御フレーム１０２を任意のＰＯＮ制御回路１３へ振り分けることができる。すなわち、同一のＰＯＮポート番号が付されている上り制御フレーム１０２でも、異なるＰＯＮ制御回路１３へ振り分けることが可能となる。
【００５２】
次に、図７を用いて実施例２のＯＬＴ１Ｂの動作例について説明する。なお、想定される条件は、図５を用いて説明した実施例１のＯＬＴ１Ａの動作例と同じとする。すなわち、１つのＰＯＮ制御回路１３は３２台のＯＮＵ３に相当する処理能力を有し、ＯＬＴ１Ｂは最大１２８台のＯＮＵ３を収容可能とする。また、このＯＬＴ１Ｂに対し、ＰＯＮポート＃１〜＃４にはそれぞれ、２０台、１８台、１５台、１０台のＯＮＵ３が接続されているものとする。また、ＰＯＮポート＃１に片寄せしてシステム運用するものとし、全てのＯＮＵ３からの上りフレームは光信号の段階で１つに束ねられて重畳フレーム１０１とされ、光トランシーバ１１−１を通り、フレーム再生回路１２−１を通して、上り振り分け回路１４Ｂに入力されるものとする。なお、ＬＬＩＤはＰＯＮポートをまたぎ、ＬＬＩＤ＝１〜６３まで割当てられているとする。
【００５３】
上り振り分け回路１４Ｂ（図６参照）において、ＬＬＩＤ判定回路１４３−１は、フレーム再生回路１２−１（フレーム再生回路＃１）を通して重畳フレーム１０１が入力されると、その重畳フレーム１０１に束ねられている上り制御フレーム１０２に付されているＬＬＩＤの判定を行い、判定したＬＬＩＤに対応するＰＯＮ制御回路番号をその上り制御フレーム１０２の振り分け先として出力先切替回路１４２−１に対して指定する。
【００５４】
ここで、ＬＬＩＤ判定回路１４３−１内のメモリＭ３（Ｍ３1）には、ＬＬＩＤ＝１〜３２（ＰＯＮポート＃１とＰＯＮポート＃２に接続されている一部のＯＮＵ３）が付された上り制御フレームと判定された場合はＰＯＮ制御回路１３−１（ＰＯＮ制御回路＃１）へ、ＬＬＩＤ＝３３〜６３（ＰＯＮポート＃２に接続されている一部のＯＮＵ３とＰＯＮポート＃３、ＰＯＮポート＃４に接続されているＯＮＵ３）が付された上り制御フレームと判定された場合はＰＯＮ制御回路１３−２（ＰＯＮ制御回路＃２）へ出力するように、ＬＬＩＤに対応する振り分け先のＰＯＮ制御回路番号が書き込まれているものとする。
【００５５】
この場合、ＬＬＩＤ判定回路１４３−１は、ＰＯＮポート＃１に接続された２０台のＯＮＵ３からの上り制御フレーム１０２とＰＯＮポート＃２に接続された１２台のＯＮＵ３からの上り制御フレーム１０２をＰＯＮ制御回路１３−１（ＰＯＮ制御回路＃１）に振り分け、ＰＯＮポート＃２に接続された残りの６台のＯＮＵ３からの上り制御フレーム１０２とＰＯＮポート＃３に接続された１５台のＯＮＵ３からの上り制御フレーム１０２とＰＯＮポート＃４に接続された１０台のＯＮＵ３からの上り制御フレーム１０２とをＰＯＮ制御回路１３−２（ＰＯＮ制御回路＃２）に振り分ける。
【００５６】
これにより、ＰＯＮ制御回路１３−１（ＰＯＮ制御回路＃１）では３２ＬＬＩＤに相当する上り制御フレーム１０２が、ＰＯＮ制御回路１３−２（ＰＯＮ制御回路＃２）では３１ＬＬＩＤに相当する上り制御フレーム１０２がそれぞれ処理され、ＰＯＮ制御回路１３−１，１３−２から処理後の下り制御フレーム１０３が下り振り分け回路１５へと出力される。
【００５７】
下り振り分け回路１５（図４参照）において、ＰＯＮ制御回路１３−１，１３−２からの下り制御フレーム１０３は、出力先切替回路１５１−１，１５１−２に入力される。出力先切替回路１５１−１，１５１−２は、ＰＯＮ制御回路１３−１，１３−２からの下り制御フレーム１０３を、振り分け先指定回路１５２−１，１５２−２が指定する予め設定によって決められたフレーム再生回路１２へと振り分ける。
【００５８】
この例では、全ての振り分け先指定回路１５２（１５２−１〜１５２−Ｎ）のメモリＭ２（Ｍ２1〜Ｍ２N）に、振り分け先のフレーム再生回路１２として重畳フレーム１０１の出力元のフレーム再生回路１２−１が設定されている。これにより、下り振り分け回路１５へと入力された下り制御フレーム１０３は、全てフレーム再生回路１２−１（フレーム再生回路＃１）へと出力される。
【００５９】
このＯＬＴ１Ｂでも、１ＰＯＮポートあたりの収容数３２台、ＯＬＴ全体の最大収容数１２８台に対して、計６３台のＯＮＵが収容されているが、本動作例の場合、重畳フレーム１０１を用いたＰＯＮポート＃１に片寄せしての運用により、１ＰＯＮポート当たりの収容数が仮想的に増加して６３台となる。これにより、使用しない回路に対して予め電源を遮断することができる。
【００６０】
すなわち、本動作例のように、重畳フレーム１０１の生成を光信号の段階で行った場合は、ＯＬＴ１Ｂ内で使用する回路は光トランシーバ１１−１、フレーム再生回路１２−１、ＰＯＮ制御回路１３−１，１３−２、上り振り分け回路１４Ｂ、下り振り分け回路１５となり、その他の回路（光トランシーバ１１−２〜１１−４、フレーム再生回路１２−２〜１２−４、ＰＯＮ制御回路１３−３，１３−４）の電源を遮断することが可能となる。
【００６１】
また、ＰＯＮポート＃１に接続された２０台のＯＮＵ３およびＰＯＮポート＃２に接続された１２台のＯＮＵ３からの上り制御フレーム１０２をＰＯＮ制御回路１３−１に振り分けて処理させ、ＰＯＮポート＃２に接続された残りの６台のＯＮＵ３とＰＯＮポート＃３に接続された１５台のＯＮＵ３とＰＯＮポート＃４に接続された１０台のＯＮＵ３とからの上り制御フレーム１０２をＰＯＮ制御回路１３−２に振り分けて処理させることにより、ＰＯＮ制御回路１３−１，１３−２の利用効率が高められる。また、ＰＯＮ制御回路１３−１，１３−２の利用効率を高めることにより、使用する必要のないＰＯＮ制御回路としてＰＯＮ制御回路１３−３，１３−４が生じており、このＰＯＮ制御回路１３−３，１３−４の電源を予め遮断することにより、電力の無駄をなくすことができる。
【００６２】
すなわち、実施例１の動作例（図５）では、ＰＯＮ制御回路１３−４の電源しか遮断できなかったが、実施例２の動作例（図７）では、ＰＯＮ制御回路１３−１，１３−２の利用効率が高められることにより、ＰＯＮ制御回路１３−４に加え、ＰＯＮ制御回路１３−３の電源を遮断することができ、実施例１のＯＬＴ１Ａよりもさらに電力の無駄をなくすことができる。
【００６３】
なお、この例では、光信号の段階で重畳フレーム１０１の生成を行うものとしているが、実施例１で説明したと同様、光信号を電気信号に変換した後に重畳フレーム１０１の生成を行うようにしてもよい。例えば、光トランシーバ１１−１〜１１−４において光信号を電気信号に変換した後に重畳フレーム１０１を生成するようにした場合には、ＯＬＴ１Ｂ内で使用する回路は上記に加え、光トランシーバ１１−２〜１１−４となる。この場合、その他の回路として、フレーム再生回路１２−２〜１２−４およびＰＯＮ制御回路１３−３，１３−４の電源を遮断することが可能となる。
【００６４】
光信号の段階で重畳フレーム１０１を生成させた場合は、光トランシーバ１１で処理することが可能な最大数まで、１ＰＯＮポートあたりのＯＮＵ・ＬＬＩＤ収容数を仮想的に増やすことができる。一方、電気信号の段階で重畳フレーム１０１を生成させた場合は、１ＯＬＴ内で定められる最大収容数（Ｎ×Ｍ）（Ｎ：ＰＯＮ制御回路の個数、Ｍ：１ＰＯＮポートあたりのＯＮＵまたはＬＬＩＤ数）まで、１ＰＯＮポートあたりのＯＮＵ・ＬＬＩＤ収容数を仮想的に増やすことができる。
【００６５】
また、このような重畳フレーム１０１を用いた片寄せしての運用により、既存のＰＯＮポート収容数にとらわれず、光伝送システムを柔軟に構築することができるようになる。また、１ＰＯＮポート或いは複数のＰＯＮポートに片寄せした結果、ＰＯＮ制御回路１３だけではなく、光トランシーバ１１やフレーム再生回路１２にも使用する必要のないものが発生する為、それらの電源を予め遮断することにより、ＯＬＴ全体のさらなる低電力化も可能となる。
【００６６】
また、実施例１で説明したと同様、光信号の段階で生成した重畳フレーム１０１を用いて片寄せした運用を行った際は、片寄せ対象ではないＰＯＮポートに対しては光ファイバを敷設する必要がなくなるので、余分な光ファイバの敷設をなくして、設備コストを押さえることも可能となる。
【００６７】
また、この例では、ＰＯＮポートをまたいでＬＬＩＤが割当てられていると説明したが、これに限ることはない。例えば、ＰＯＮポート毎にＬＬＩＤが割当てられる場合もある。その際は上り振り分け回路１４Ｂにおいて、ＬＬＩＤ判定回路１４３（１４３−１〜１４３−Ｎ）の前段にポート判定回路を設け、ＰＯＮポート番号とＬＬＩＤに対応する出力先に上り制御フレーム１０２を振り分けるようにすれば良い。
【００６８】
また、この例では、下り振り分け回路１５の振り分け先指定回路１５２（１５２−１〜１５２−Ｎ）に振り分け先のフレーム再生回路１２を予め設定しておくものとしたが、これに限ることはない。例えば、上り振り分け回路１４Ｂと同様に、ＬＬＩＤ判定回路を設け、下り制御フレーム１０３に付されているＬＬＩＤに基づいて振り分け先のフレーム再生回路１２を指定できるような構成にしても良い。
【００６９】
〔実施例３〕
図８に実施例３のＯＬＴ１（１Ｃ）の基本構成を示す。実施例１，２のＯＬＴ１（１Ａ，１Ｂ）では、制御フレームの処理に係わる構成についてのみ示したが、実施例３のＯＬＴ１Ｃではデータフレームの処理に係わる構成についても示している。
【００７０】
なお、実施例３のＯＬＴ１Ｃでは、実施例１，２における上り振り分け回路１４に対応する回路を上り振り分け回路２１とし、下り振り分け回路１５に対応する回路を下り振り分け回路２２とする。また、実施例１，２におけるＰＯＮ制御回路１３（１３−１〜１３−Ｎ）内の制御フレーム処理回路１３１（１３１−１〜１３１−Ｎ）に対応する回路を制御フレーム処理回路２３（２３−１〜２３−Ｎ）とする。また、ＯＬＴ１Ｃに対しては、外部ネットワーク４が上位装置として接続されている。以下、外部ネットワーク４を上位装置４と読み替える。
【００７１】
このＯＬＴ１Ｃにおいて、上り振り分け回路２１は、フレーム再生回路１２−１〜１２−Ｎの何れか１つを通して入力される全てのＯＮＵ３からの上りフレーム（上り制御フレーム１０２＋上りデータフレーム１０４）を１つに束ねた重畳フレーム（上り重畳フレーム）１０１を入力とし、この上り重畳フレーム１０１に束ねられている上りフレームに含まれている上り制御フレーム１０２をそのフレームに付されているＰＯＮポート番号に基づいて所定の制御フレーム処理回路２３へ振り分ける。
【００７２】
ここで、ＰＯＮポート番号はＯＮＵ３ごとにあらかじめ定められた１〜Ｎの値であり、フレーム内のＯＮＵ３の個体識別番号等を読み替えて生成することもできる。また、上り振り分け回路２１は、上り重畳フレーム１０１に束ねられている上りフレームに含まれている上りデータフレーム１０４を上位装置４に出力する。
【００７３】
下り振り分け回路２２は、上り制御フレーム１０２が振り分けられた制御フレーム処理回路２３より出力される下り制御フレーム１０３を予め設定されている所定のフレーム再生回路１２に振り分け、上位装置４から入力された下りデータフレーム１０５とともに、重畳フレーム（下り重畳フレーム）１０６としてフレーム再生回路１２に出力する。
【００７４】
図９に、上り振り分け回路２１の上り制御フレームの処理に係わる構成例を示す。上り振り分け回路２１は、ＰＯＮポートと同数のＮ個の上り制御フレーム振り分け回路２１０（２１０−１〜２１０−Ｎ）を備えている。上り制御フレーム振り分け回路２１０（２１０−１〜２１０−Ｎ）は、振分け判定回路２１１（２１１−１〜２１１−Ｎ）と、処理回路振分け回路２１２（２１２−１〜２１２−Ｎ）とを備えている。振分け判定回路２１１−１〜２１１−Ｎは処理回路振分け回路２１２−１〜２１２−Ｎに対応して設けられている。
【００７５】
振分け判定回路２１１（２１１−１〜２１１−Ｎ）は、フレーム再生回路１２（１２−１〜１２−Ｎ）を通して上り重畳フレーム１０１が入力されると、その上り重畳フレーム１０１に束ねられている上り制御フレーム１０２のプリアンブル領域等に格納されている識別子を抽出し、その識別子の値に対応する制御フレーム処理回路番号を上り制御フレーム１０２の振分け先として処理回路振分け回路２１２（２１２−１〜２１２−Ｎ）に対して指定する。振分け判定回路２１１（２１１−１〜２１１−Ｎ）は、内部にメモリＭ４（Ｍ４1〜Ｍ４N）を備えており、このメモリＭ４（Ｍ４1〜Ｍ４N）に抽出した識別子の値に対応する振り分け先の制御フレーム処理回路番号が書き込まれている。
【００７６】
なお、Ethernet（登録商標）−ＰＯＮシステムでは、識別子としてＬＬＩＤを使用することができる。また、識別子としてフレーム再生回路１２（１２−１〜１２−Ｎ）がＬＬＩＤをＯＬＴ１Ｃ内で通用するＩＤに変換してプリアンブル領域等に格納する場合には、プリアンブル領域に格納されたＩＤを使用することもできる。また、他のＰＯＮシステムにおいても、ＯＮＵ３を識別するためのＩＤが上り制御フレーム１０２毎に付帯されている場合には、このＩＤを識別子として使用することができる。
【００７７】
処理回路振分け回路２１２（２１２−１〜２１２−Ｎ）は、振分け判定回路２１１（２１１−１〜２１１−Ｎ）からの振分け先の指定を受け、振分け判定回路２１１（２１１−１〜２１１−Ｎ）から送られてくる振分け先の判定が終了した上り制御フレーム１０２を指定された制御フレーム処理回路２３に出力する。このような構成にすることで、任意の上り制御フレーム１０２を任意の制御フレーム処理回路２３へと出力できる。
【００７８】
図１０に、上り振り分け回路２１の上りデータフレームの処理に係わる構成例を示す。上り振り分け回路２１は、図９の構成に加えて、上りデータフレーム処理回路２１３を備えている。上りデータフレーム処理回路２１３は、フレーム再生回路１２（１２−１〜１２−Ｎ）を通して上り重畳フレーム１０１が入力されると、その上り重畳フレーム１０１に束ねられている上りデータフレーム１０４に対してバッファリング処理やブリッジ処理などを行い、処理後の上りデータフレーム１０４を上位装置４に出力する。
【００７９】
図１１に、下り振り分け回路２２の下り制御フレームの処理に係わる構成例を示す。下り振り分け回路２２は、制御フレーム処理回路２３と同数のＮ個の下り制御フレーム振り分け回路２２０（２２０−１〜２２０−Ｎ）を備えている。下り制御フレーム振り分け回路２２０（２２０−１〜２２０−Ｎ）は、出力先指定回路２２１（２２１−１〜２２１−Ｎ）と、出力先切替回路２２２（２２２−１〜２２２−Ｎ）とを備えている。出力先指定回路２２１−１〜２２１−Ｎは出力先切替回路２２２−１〜２２２−Ｎに対応して設けられている。
【００８０】
出力先切替回路２２２（２２２−１〜２２２−Ｎ）は、制御フレーム処理回路２３（２３−１〜２３−Ｎ）からの下り制御フレーム１０３を出力先指定回路２２１（２２１−１〜２２１−Ｎ）が指定する予め設定によって決められたフレーム再生回路１２へと出力する。出力先指定回路２２１（２２１−１〜２２１−Ｎ）は、内部にメモリＭ５（Ｍ５1〜Ｍ５N）を備えており、このメモリＭ５（Ｍ５1〜Ｍ５N）に出力先のフレーム再生回路番号が書き込まれている。このような構成にすることで、同一の制御フレーム処理回路２３からの下り制御フレーム１０３は全て、同一のフレーム再生回路１２へと出力できる。
【００８１】
図１２に、下り振り分け回路２２の下りデータフレームの処理に係わる構成例を示す。下り振り分け回路２２は、図１１の構成に加えて、下りデータフレーム処理回路振り分け回路２２３と、ＰＯＮポートと同数のＮ個の下りデータフレーム処理回路２２４（２２４−１〜２２４−Ｎ）と、Ｎ個の下りデータフレーム振り分け回路２２５（２２５−１〜２２５−Ｎ）とを備えている。下りデータフレーム処理回路振り分け回路２２３は、振分け判定回路２２６と、処理回路振分け回路２２７とを備えており、下りデータフレーム振り分け回路２２５（２２５−１〜２２５−Ｎ）は、データ出力先指定回路２２８（２２８−１〜２２８−Ｎ）とデータ出力先切替回路２２９（２２９−１〜２２９−Ｎ）とを備えている。データ出力先指定回路２２８−１〜２２８−Ｎはデータ出力先切替回路２２９−１〜２２９−Ｎに対応して設けられている。
【００８２】
振分け判定回路２２６は、ＯＬＴ１Ｃの上位装置４から下りデータフレーム１０５が入力されると、その下りデータフレーム１０５のタグ等に格納されている識別子を抽出し、その識別子の値に対応する下りデータフレーム処理回路番号を下りデータフレーム１０５の振分け先として、処理回路振分け回路２２７に対して指定する。振分け判定回路２２６は、内部にメモリＭ６を備えており、このメモリＭ６に抽出した識別子の値に対応する振り分け先の下りデータフレーム処理回路番号が書き込まれている。
【００８３】
なお、識別子は、ＯＮＵ３やＯＮＵ３に接続するユーザ側端末を識別できる情報であればよく、Ethernet-PONシステムでは、識別子として、下りデータフレーム１０５に付されたＶＬＡＮ(Virtual Local Area Network)タグのＶＬＡＮ−ＩＤや、下りデータフレーム１０５の宛先ＭＡＣアドレスを使用できる。また、ＯＬＴ１Ｃの上位装置４がＯＮＵ３を識別するためのＩＤをプリアンブル領域等に格納する場合は、プリアンブル領域に格納されたＩＤを使用することもできる。また、他のＰＯＮシステムにおいても、ＯＮＵ３を識別するためのＩＤが下りデータフレーム１０５毎に付帯されている場合には、このＩＤを識別子として使用することができる。
【００８４】
処理回路振分け回路２２７は、振分け判定回路２２６からの振分け先の指定を受け、振分け判定回路２２６から送られてくる振分け先の判定が終了した下りデータフレーム１０５を、指定された下りデータフレーム処理回路２２４に出力する。このような構成にすることで、任意の下りデータフレーム１０５を任意の下りデータフレーム処理回路２２４へと出力できる。
【００８５】
データ出力先切替回路２２９（２２９−１〜２２９−Ｎ）は、下りデータフレーム処理回路２２４（２２４−１〜２２４−Ｎ）からの下りデータフレーム１０５をデータ出力先指定回路２２８（２２８−１〜２２８−Ｎ）が指定する予め設定によって決められたフレーム再生回路１２へと出力する。データ出力先指定回路２２８（２２８−１〜２２８−Ｎ）は、内部にメモリＭ７（Ｍ７1〜Ｍ７N）を備えており、このメモリＭ７（Ｍ７1〜Ｍ７N）に出力先のフレーム再生回路番号が書き込まれている。このような構成にすることで、同一の下りデータフレーム処理回路２２４からの下りデータフレーム１０５は全て、同一のフレーム再生回路１２へと出力できる。
【００８６】
次に、図１３を用いて実施例１のＯＬＴ１Ｃの動作例について説明する。具体的な例として、１ＰＯＮポートあたりの最大収容数が３２台の４ＰＯＮポートＯＬＴを想定する。すなわち、１つの制御フレーム処理回路２３は３２台のＯＮＵ３に相当する処理能力を有し、ＯＬＴ１Ｃは最大１２８台のＯＮＵ３を収容可能とする。また、このＯＬＴ１Ｃに対し、ＰＯＮポート＃１〜＃４にはそれぞれ、２０台、１８台、１５台、１０台のＯＮＵ３が接続されているものとする。
【００８７】
また、ＰＯＮポート＃１に接続する各ＯＮＵ３からの上り制御フレームには、ＬＬＩＤとして「１〜２０」が付され、ＰＯＮポート＃２に接続する各ＯＮＵ３からの上り制御フレームには、ＬＬＩＤとして「１０１〜１１８」が付され、ＰＯＮポート＃３に接続する各ＯＮＵ３からの上り制御フレームには、ＬＬＩＤとして「２０１〜２１５」が付され、ＰＯＮポート＃４に接続する各ＯＮＵ３からの上り制御フレームには、ＬＬＩＤとして「３０１〜３１０」が付されるものとする。
【００８８】
また、各ＰＯＮポートに接続されていたＯＮＵ３との光伝送は、全てＰＯＮポート＃１に片寄せして運用するものとし、全てのＯＮＵ３からの上りフレームは光信号の段階で１つに束ねられて上り重畳フレーム１０１（上り制御フレーム１０２＋上りデータフレーム１０４）とされ、光トランシーバ１１−１を通り、フレーム再生回路１２−１を通して、上り振り分け回路２１に入力され、全てのＯＮＵ３への下りフレーム（下り制御フレーム１０３＋下りデータフレーム１０５）は下り振り分け回路２２から出力した電気信号の段階で１つに束ねられて下り重畳フレーム１０６とされ、フレーム再生回路１２−１を通り、光トランシーバ１１−１を通して、全てのＯＮＵ３に向けて出力されるものとする。すなわち、ＯＬＴ１Ｃが備える光トランシーバ１１と光トランシーバ１１によって電気信号に変換されたフレームを再生するフレーム再生回路１２の個数は１つとする。
【００８９】
上り振り分け回路２１において（図９参照）、振分け判定回路２１１−１は、フレーム再生回路１２−１を通して重畳フレーム１０１が入力されると、その重畳フレーム１０１に束ねられている上り制御フレーム１０２のプリアンブル領域から抽出したＬＬＩＤの判定を行い、ＬＬＩＤの値に対応する制御フレーム処理回路番号を上り制御フレーム１０２の振り分け先として処理回路振分け回路２１２−１に対して指定する。
【００９０】
ここで、上り振り分け回路２１内の振分け判定回路２１１−１が備えるメモリＭ４1には、ＬＬＩＤが「１〜２０」の上り制御フレーム１０２は制御フレーム処理回路２３−１へ、ＬＬＩＤが「１０１〜１１８」の上り制御フレーム１０２は制御フレーム処理回路２３−２へ、ＬＬＩＤが「２０１〜２１５」およびＬＬＩＤが「３０１〜３１０」の上り制御フレーム１０２は制御フレーム処理回路２３−３３へ、それぞれ出力するように、ＬＬＩＤに対応する振分け先の制御フレーム処理回路番号が書き込まれているものとする。
【００９１】
この場合、振分け判定回路２１１−１によって、ＰＯＮポート＃１に全ＯＮＵ３を片寄せする前はＰＯＮポート＃１に接続された２０台のＯＮＵ３からの上り制御フレーム１０２は、制御フレーム処理回路２３−１に振り分けられる。同様に、ＰＯＮポート＃１に全ＯＮＵ３を片寄せする前はＰＯＮポート＃２に接続された１８台のＯＮＵ３からの上り制御フレーム１０２は、制御フレーム処理回路２３−２に振り分けられる。また、ＰＯＮポート＃１に全ＯＮＵ３を片寄せする前はＰＯＮポート＃３に接続された１５台のＯＮＵ３とＰＯＮポート＃１に全ＯＮＵ３を片寄せする前はＰＯＮポート＃４に接続された１０台のＯＮＵ３からの上り制御フレーム１０２は、制御フレーム処理回路２３−３に振り分けられる。
【００９２】
これにより、制御フレーム処理回路２３−１ではＯＮＵ２０台、制御フレーム処理回路２３−２ではＯＮＵ１８台、制御フレーム処理回路２３−３ではＯＮＵ２５台（＝１５台＋１０台）に相当する上り制御フレーム１０２がそれぞれ処理され、制御フレーム処理回路２３−１〜２３−３から処理後の下り制御フレーム１０３が下り振り分け回路２２へと出力される。
【００９３】
下り振り分け回路２２（図１１参照）において、制御フレーム処理回路２３−１〜２３−３からの下り制御フレーム１０３は、出力先切替回路２２２−１〜２２２−３に入力される。出力先切替回路２２２−１〜２２２−３は、制御フレーム処理回路２３−１〜２３−３からの下り制御フレーム１０３を、出力先指定回路２２１−１〜２２１−３が指定する予め設定によって決められたフレーム再生回路１２へと振り分ける。
【００９４】
この例では、全ての出力先指定回路２２１−１〜２２１−Ｎには、出力先のフレーム再生回路１２として上り重畳フレーム１０１の出力元であるフレーム再生回路１２−１が設定されている。これにより、下り振り分け回路２２へと入力された下り制御フレーム１０３は、全てフレーム再生回路１２−１へと出力される。
【００９５】
図１４を用いて、下り振り分け回路２２における下りデータフレームの処理に係わる動作例を説明する。１ＰＯＮポートあたりの最大収容数が３２台という基準に従って、制御フレーム処理回路２３と同様、１つの下りデータフレーム処理回路２２４は３２台のＯＮＵ３に相当する処理能力を有する。また、上位装置４がＯＬＴ１Ｃに向けて出力する各下りデータフレーム１０５において、ＰＯＮポート＃１に接続する各ＯＮＵ３への下りデータフレーム１０５にはＶＬＡＮ−ＩＤが「１〜２０」のＶＬＡＮタグが付され、ＰＯＮポート＃２に接続する各ＯＮＵ３への下りデータフレーム１０５にはＶＬＡＮ−ＩＤが「１０１〜１１８」のＶＬＡＮタグが付され、ＰＯＮポート＃３に接続する各ＯＮＵ３への下りデータフレーム１０５にはＶＬＡＮ−ＩＤが「２０１〜２１５」のＶＬＡＮタグが付され、ＰＯＮポート＃４に接続する各ＯＮＵ３への下りデータフレーム１０５にはＶＬＡＮ−ＩＤが「３０１〜３１０」のＶＬＡＮタグが付されるものとする。
【００９６】
下り振り分け回路２２において、振分け判定回路２２６は、上位装置４から下りデータフレーム１０５が入力されると、その下りデータフレーム１０５のＶＬＡＮタグから抽出したＶＬＡＮ−ＩＤの判定を行い、ＶＬＡＮ−ＩＤの値に対応する下りデータフレーム処理回路番号を下りデータフレーム１０５の振り分け先として処理回路振分け回路２２７に対して指定する。
【００９７】
ここで、下り振り分け回路２２内の振分け判定回路２２６が備えるメモリＭ６には、ＶＬＡＮ−ＩＤが「１〜２０」の下りデータフレーム１０５は下りデータフレーム処理回路２２４−１へ、ＶＬＡＮ−ＩＤが「１０１〜１１８」の下りデータフレーム１０５は下りデータフレーム処理回路２２４−２へ、ＶＬＡＮ−ＩＤが「２０１〜２１５」およびＶＬＡＮ−ＩＤが「３０１〜３１０」の下りデータフレーム１０５は下りデータフレーム処理回路２２４−３へ、それぞれ出力するように、ＶＬＡＮ−ＩＤに対応する振分け先の下りデータフレーム処理回路番号が書き込まれているものとする。
【００９８】
この場合、振分け判定回路２２６によって、ＰＯＮポート＃１に全ＯＮＵ３を片寄せする前はＰＯＮポート＃１に接続された２０台のＯＮＵ３への下りデータフレーム１０５は、下りデータフレーム処理回路２２４−１に振り分けられる。同様に、ＰＯＮポート＃１に全ＯＮＵ３を片寄せする前はＰＯＮポート＃２に接続された１８台のＯＮＵ３への下りデータフレーム１０５は、下りデータフレーム処理回路２２４−２に振り分けられる。また、ＰＯＮポート＃１に全ＯＮＵ３を片寄せする前はＰＯＮポート＃３に接続された１５台のＯＮＵ３とＰＯＮポート＃１に全ＯＮＵ３を片寄せする前はＰＯＮポート＃４に接続された１０台のＯＮＵ３への下りデータフレーム１０５は、下りデータフレーム処理回路２２４−３に振り分けられる。
【００９９】
これにより、下りデータフレーム処理回路２２４−１ではＯＮＵ２０台、下りデータフレーム処理回路２２４−２ではＯＮＵ１８台、下りデータフレーム処理回路２２４−３ではＯＮＵ２５台（＝１５台＋１０台）に相当する下りデータフレーム１０５がそれぞれ処理され、それぞれ、データ出力先切替回路２２９−１〜２２９−３へと出力される。
【０１００】
データ出力先切替回路２２９−１〜２２９−３は、下りデータフレーム処理回路２２４−１〜２２４−３からの下りデータフレーム１０５を、データ出力先指定回路２２８−１〜２２８−３が指定する予め設定によって決められたフレーム再生回路１２へと振り分ける。
【０１０１】
この例では、全てのデータ出力先指定回路２２８−１〜２２８−Ｎには、出力先のフレーム再生回路１２として上り重畳フレーム１０１の出力元であるフレーム再生回路１２−１が設定されている。これにより、下り振り分け回路２２へと入力された下りデータフレーム１０５は、全てフレーム再生回路１２−１へと出力される。
【０１０２】
このＯＬＴ１Ｃでは、１ＰＯＮポートあたりの収容数３２台、ＯＬＴ全体の最大収容数１２８台に対して、計６３台のＯＮＵ３が収容されているが、ＰＯＮポート＃１に片寄せした運用によって、１ＰＯＮポート当たりの収容数が６３台に増加する。これにより、使用しない回路に対して予め電源を遮断することができる。
【０１０３】
すなわち、本動作例では、ＯＬＴ１Ｃ内で使用する回路は光トランシーバ１１−１、フレーム再生回路１２−１、制御フレーム処理回路２３−１〜２３−３、上り振り分け回路２１、下り振り分け回路２２となり、その他の回路（光トランシーバ１１−２〜１１−４４、フレーム再生回路１２−２〜１２−４、制御フレーム処理回路２３−４）の電源を遮断することが可能となる。
【０１０４】
また、ＰＯＮポート＃３に接続された１５台のＯＮＵ３およびＰＯＮポート＃４に接続された１０台のＯＮＵ３からの上り制御フレーム１０２を制御フレーム処理回路２３−３に振り分けて処理させることにより、制御フレーム処理回路２３−３の利用効率が高められる。また、制御フレーム処理回路２３−３の利用効率を高めることにより、使用する必要のない制御フレーム処理回路２３として制御フレーム処理回路２３−４が生じており、この制御フレーム処理回路２３−４の電源を予め遮断することにより、電力の無駄をなくすことができる。
【０１０５】
また、ＰＯＮポート＃３に接続された１５台のＯＮＵ３およびＰＯＮポート＃４に接続された１０台のＯＮＵ３への下りデータフレーム１０５を下りデータフレーム処理回路２２４−３に振り分けて処理させることにより、下りデータフレーム処理回路２２４−３の利用効率が高められる。また、下りデータフレーム処理回路２２４−３の利用効率を高めることにより、使用する必要のない下りデータフレーム処理回路として下りデータフレーム処理回路２２４−４が生じており、この下りデータフレーム処理回路２２４−４の電源を予め遮断することにより、電力の無駄をなくすことができる。
【０１０６】
なお、上述した動作例では、１ＰＯＮポート（ＰＯＮポート＃１）に片寄せして運用するシステム形態について説明したが、これに限られるものでもない。例えば、２ＰＯＮポートに片寄せする場合も有りうる。２ＰＯＮポートに片寄せする場合、全てのＯＮＵ３からの上りフレームを２つのグループに分けて束ねた２つの上り重畳フレーム１０１を２つのフレーム再生回路１２を通して上り振り分け回路２１に入力し、この２つの上り重畳フレーム１０１に束ねられている上り制御フレーム１０２をそのフレームに付されている情報（ＬＬＩＤ等）に基づいて所定の制御フレーム処理回路２３へ振り分けるようにする。どのＰＯＮポートに片寄せするかや、どのＰＯＮポートに対応するフレーム再生回路１２へ下り重畳フレーム１０６を出力するかは、システム設計者が任意に決定できる。
【０１０７】
また、上述した動作例において具体的な数値を用いて説明したが、動作例の数値はあくまでも一例であり、その他の値もとりうることは言うまでもない。
【０１０８】
〔実施例４〕
図１５に実施例４のＯＬＴ１（１Ｄ）の基本構成を示す。実施例４のＯＬＴ１Ｄでは、実施例３の制御フレーム処理回路２３（２３−１〜２３−Ｎ）に対応する回路を制御フレーム処理回路３４（３４−１〜３４−Ｎ）とする。また、実施例４のＯＬＴ１Ｄでは、制御フレーム処理回路３４（３４−１〜３４−Ｎ）の前段に第１の上り振り分け回路３３（上り振り分け回路＃１）と、第２の上り振り分け回路３１（上り振り分け回路＃２）と、Ｎ個のフレーム処理回路３２（３２−１〜３２−Ｎ）とを設けている。また、制御フレーム処理回路３４（３４−１〜３４−Ｎ）の後段に第１の下り振り分け回路３７（下り振り分け回路＃１）と、第２の下り振り分け回路３５（下り振り分け回路＃２）と、Ｎ個の下りフレーム処理回路３６（３６−１〜３６−Ｎ）とを設けている。
【０１０９】
このＯＬＴ１Ｄにおいて、上り振り分け回路３１は、フレーム再生回路１２−１〜１２−Ｎの何れか１つを通して入力される全てのＯＮＵ３からの上りフレームを１つに束ねた重畳フレーム（上り重畳フレーム）１０１を入力とし、この上り重畳フレーム１０１に束ねられている上りフレーム１０７（上り制御フレーム１０２＋上りデータフレーム１０４）をそのフレームに付されているＰＯＮポート番号に基づいて所定のフレーム処理回路３２へ振り分ける。ここでＰＯＮポート番号はＯＮＵ３ごとにあらかじめ定められた１〜Ｎの値であり、フレーム内のＯＮＵ３の個体識別番号等を読み替えて生成することもできる。
【０１１０】
また、このＯＬＴ１Ｄにおいて、上り振り分け回路３３は、フレーム処理回路３２−１〜３２−Ｎから出力される上りフレーム１０７に含まれている上り制御フレーム１０２をそのフレームに付されているＰＯＮポート番号に基づいて所定の制御フレーム処理回路３４へ振り分ける。また、上り振り分け回路３３は、フレーム処理回路３２−１〜３２−Ｎから出力される上りフレーム１０７に含まれている上りデータフレーム１０４を上位装置４に出力する。
【０１１１】
また、このＯＬＴ１Ｄにおいて、下り振り分け回路３５は、上り制御フレーム１０２が振り分けられた制御フレーム処理回路３４より出力される下り制御フレーム１０３を予め設定されている所定の下りフレーム処理回路３６に振り分け、上位装置４から入力された下りデータフレーム１０５とともに、下りフレーム１０８として下りフレーム処理回路３６に出力する。下り振り分け回路３７は、下りフレーム処理回路３６−１〜３６−Ｎから出力される下りフレーム１０８を予め設定されている所定のフレーム再生回路１２に出力する。
【０１１２】
図１６に、上り振り分け回路３１の上りフレームの処理に係わる構成例を示す。上り振り分け回路３１は、ＰＯＮポートと同数のＮ個の上り制御フレーム振り分け回路３１０（３１０−１〜３１０−Ｎ）を備えている。上り制御フレーム振り分け回路３１０（３１０−１〜３１０−Ｎ）は、振分け判定回路３１１（３１１−１〜３１１−Ｎ）と、処理回路振分け回路３１２（３１２−１〜３１２−Ｎ）とを備えている。振分け判定回路３１１−１〜３１１−Ｎは処理回路振分け回路３１２−１〜３１２−Ｎに対応して設けられている。
【０１１３】
振分け判定回路３１１（３１１−１〜３１１−Ｎ）は、フレーム再生回路１２（１２−１〜１２−Ｎ）を通して上り重畳フレーム１０１が入力されると、その上り重畳フレーム１０１に束ねられている上りフレーム１０７のプリアンブル領域等に格納されている識別子を抽出し、その識別子の値に対応するフレーム処理回路番号を、上りフレーム１０７の振分け先として、処理回路振分け回路３１２（３１２−１〜３１２−Ｎ）に対して指定する。振分け判定回路３１１（３１１−１〜３１１−Ｎ）は、内部にメモリＭ８（Ｍ８1〜Ｍ８N）を備えており、このメモリＭ８（Ｍ８1〜Ｍ８N）に抽出した識別子の値に対応する振分け先のフレーム処理回路番号が書き込まれている。
【０１１４】
なお、Ethernet−ＰＯＮシステムでは、識別子としてＬＬＩＤを使用することができる。また、識別子としてフレーム再生回路１２（１２−１〜１２−Ｎ）がＬＬＩＤをＯＬＴ１Ｄ内で通用するＩＤに変換してプリアンブル領域等に格納する場合には、プリアンブル領域に格納されたＩＤを使用することもできる。また、他のＰＯＮシステムにおいても、ＯＮＵ３を識別するためのＩＤが上りフレーム１０７毎に付帯されている場合には、このＩＤを識別子として使用することができる。
【０１１５】
処理回路振分け回路３１２（３１２−１〜３１２−Ｎ）は、振分け判定回路３１１（３１１−１〜３１１−Ｎ）からの振分け先の指定を受け、振分け判定回路３１１（３１１−１〜３１１−Ｎ）から送られてくる振分け先の判定が終了した上りフレーム１０７を指定されたフレーム処理回路３２に出力する。このような構成にすることで、任意の上りフレーム１０７を任意のフレーム処理回路３２へと出力できる。
【０１１６】
図１７に、上り振り分け回路３３の上り制御フレームの処理に係わる構成例を示す。上り振り分け回路３３は、ＰＯＮポートと同数のＮ個の上り制御フレーム振り分け回路３３０（３３０−１〜３３０−Ｎ）を備えている。上り制御フレーム振り分け回路３３０（３３０−１〜３３０−Ｎ）は、振分け判定回路３３１（３３１−１〜３３１−Ｎ）と、処理回路振分け回路３３２（３３２−１〜３３２−Ｎ）とを備えている。振分け判定回路３３１−１〜３３１−Ｎは処理回路振分け回路３３２−１〜３３２−Ｎに対応して設けられている。
【０１１７】
振分け判定回路３３１（３３１−１〜３３１−Ｎ）は、フレーム処理回路３２（３２−１〜３２−Ｎ）を通して上りフレーム１０７が入力されると、上りフレーム１０７のプリアンブル領域等に格納されている識別子を抽出し、その識別子の値に対応する制御フレーム処理回路番号を、上りフレーム１０７に含まれている上り制御フレーム１０２の振分け先として、処理回路振分け回路３３２（３３２−１〜３３２−Ｎ）に対して指定する。振分け判定回路３３１（３３１−１〜３３１−Ｎ）は、内部にメモリＭ９（Ｍ９1〜Ｍ９N）を備えており、このメモリＭ９（Ｍ９1〜Ｍ９N）に抽出した識別子の値に対応する振分け先の制御フレーム処理回路番号が書き込まれている。
【０１１８】
なお、Ethernet−ＰＯＮシステムでは、識別子としてＬＬＩＤを使用することができる。また、識別子としてフレーム再生回路１２（１２−１〜１２−Ｎ）がＬＬＩＤをＯＬＴ１Ｄ内で通用するＩＤに変換してプリアンブル領域等に格納する場合には、プリアンブル領域に格納されたＩＤを使用することもできる。また、他のＰＯＮシステムにおいても、ＯＮＵ３を識別するためのＩＤが上りフレーム１０７毎に付帯されている場合には、このＩＤを識別子として使用することができる。
【０１１９】
処理回路振分け回路３３２（３３２−１〜３３２−Ｎ）は、振分け判定回路３３１（３３１−１〜３３１−Ｎ）からの振分け先の指定を受け、振分け判定回路３３１（３３１−１〜３３１−Ｎ）から送られてくる振分け先の判定が終了した上り制御フレーム１０２を、指定された制御フレーム処理回路３４に出力する。このような構成にすることで、任意の上り制御フレーム１０２を任意の制御フレーム処理回路３４へと出力できる。
【０１２０】
図１８に、上り振り分け回路３３の上りデータフレームの処理に係わる構成例を示す。上り振り分け回路３３は、図１７の構成に加えて、上りデータフレーム処理回路３３３を備えている。上りデータフレーム処理回路３３３は、フレーム処理回路３２（３２−１〜３２−Ｎ）を通して上りフレーム１０７が入力されると、その上りフレーム１０７に含まれている上りデータフレーム１０４に対してバッファリング処理やブリッジ処理などを行い、処理後の上りデータフレーム１０４を上位装置４に出力する。
【０１２１】
図１９に、下り振り分け回路３５の下り制御フレーム１０３の処理に係わる構成例を示す。下り振り分け回路３５は、制御フレーム処理回路３４と同数のＮ個の下り制御フレーム振り分け回路３５０（３５０−１〜３５０−Ｎ）を備えている。下り制御フレーム振り分け回路３５０（３５０−１〜３５０−Ｎ）は、出力先指定回路３５１（３５１−１〜３５１−Ｎ）と、出力先切替回路３５２（３５２−１〜３５２−Ｎ）とを備えている。出力先指定回路３５１−１〜３５１−Ｎは出力先切替回路３５２−１〜３５２−Ｎに対応して設けられている。
【０１２２】
出力先切替回路３５２（３５２−１〜３５２−Ｎ）は、制御フレーム処理回路３４（３４−１〜３４−Ｎ）からの下り制御フレームを出力先指定回路３５１（３５１−１〜３５１−Ｎ）が指定する予め設定によって決められた下りフレーム処理回路３６へと出力する。出力先指定回路３５１（３５１−１〜３５１−Ｎ）は、内部にメモリＭ１０（Ｍ１０1〜Ｍ１０N）を備えており、このメモリＭ１０（Ｍ１０1〜Ｍ１０N）に出力先の下りフレーム処理回路番号が書き込まれている。このような構成にすることで、同一の制御フレーム処理回路３４からの下り制御フレーム１０３は全て、同一の下りフレーム処理回路３６へと出力できる。
【０１２３】
図２０に、下り振り分け回路３５の下りデータフレームの処理に係わる構成例を示す。下り振り分け回路３５は、図１９の構成に加えて、下りデータフレーム処理回路振り分け回路３５３と、ＰＯＮポートと同数のＮ個の下りデータフレーム処理回路３５４（３５４−１〜３５４−Ｎ）と、Ｎ個の下りデータフレーム振り分け回路３５５（３５５−１〜３５５−Ｎ）とを備えている。下りデータフレーム処理回路振り分け回路３５３は、振分け判定回路３５６と、処理回路振分け回路３５７とを備え、下りデータフレーム振り分け回路３５５（３５５−１〜３５５−Ｎ）は、データ出力先指定回路３５８（３５８−１〜３５８−Ｎ）とデータ出力先切替回路３５９（３５９−１〜３５９−Ｎ）とを備えている。データ出力先指定回路３５８−１〜３５８−Ｎはデータ出力先切替回路３５９−１〜３５９−Ｎに対応して設けられている。
【０１２４】
振分け判定回路３５６は、ＯＬＴ１Ｄの上位装置４から下りデータフレーム１０５が入力されると、その下りデータフレーム１０５のタグ等に格納されている識別子を抽出し、その識別子の値に対応する下りデータフレーム処理回路番号を下りデータフレーム１０５の振分け先として、処理回路振分け回路３５７に対して指定する。振分け判定回路３５６は、内部にメモリＭ１１を備えており、このメモリＭ１１に抽出した識別子の値に対応する振り分け先の下りデータフレーム処理回路番号が書き込まれている。
【０１２５】
なお、識別子は、ＯＮＵ３やＯＮＵ３に接続するユーザ側端末を識別できる情報であればよく、Ethernet−ＰＯＮシステムでは、識別子として、下りデータフレーム１０５に付されたＶＬＡＮタグのＶＬＡＮ−ＩＤや、下りデータフレーム１０５の宛先ＭＡＣアドレスを使用できる。また、ＯＬＴ１Ｄの上位装置４がＯＮＵ３を識別するためのＩＤをプリアンブル領域等に格納する場合は、プリアンブル領域に格納されたＩＤを使用することもできる。また、他のＰＯＮシステムにおいても、ＯＮＵ３を識別するためのＩＤが下りデータフレーム１０５毎に付帯されている場合には、このＩＤを前記識別子として使用することができる。
【０１２６】
処理回路振分け回路３５７は、振分け判定回路３５６からの振分け先の指定を受け、振分け判定回路３５６から送られてくる振分け先の判定が終了した下りデータフレーム１０５を、指定された下りデータフレーム処理回路３５４に出力する。このような構成にすることで、任意の下りデータフレーム１０５を任意の下りデータフレーム処理回路３５４へと出力できる。
【０１２７】
データ出力先切替回路３５９（３５９−１〜３５９−Ｎ）は、下りデータフレーム処理回路３５４（３５４−１〜３５４−Ｎ）からの下りデータフレーム１０５をデータ出力先指定回路３５８（３５８−１〜３５８−Ｎ）が指定する予め設定によって決められた下りフレーム処理回路３６へと出力する。データ出力先指定回路３５８（３５８−１〜３５８−Ｎ）は、内部にメモリＭ１２（Ｍ１２1〜Ｍ１２N）を備えており、このメモリＭ１２（Ｍ１２1〜Ｍ１２N）に出力先の下りフレーム処理回路番号が書き込まれている。このような構成にすることで、同一の下りデータフレーム処理回路３５４からの下りデータフレーム１０５は全て、同一の下りフレーム処理回路３６へと出力できる。
【０１２８】
図２１に、下り振り分け回路３７の下りフレームの処理に係わる構成例を示す。下り振り分け回路３７は、ＰＯＮポートと同数のＮ個の下りフレーム振り分け回路３７０（３７０−１〜３７０−Ｎ）を備えている。下りフレーム振り分け回路３７０（３７０−１〜３７０−Ｎ）は、振分け判定回路３７１（３７１−１〜３７１−Ｎ）と、処理回路振分け回路３７２（３７２−１〜３７２−Ｎ）とを備えている。振分け判定回路３７１（３７１−１〜３７１−Ｎ）は処理回路振分け回路３７２（３７２−１〜３７２−Ｎ）に対応して設けられている。
【０１２９】
振分け判定回路３７１（３７１−１〜３７１−Ｎ）は、下りフレーム処理回路３６（３６１−１〜３６１−Ｎ）を通して下りフレーム１０８が入力されると、予め設定によって決められたフレーム再生回路番号を下りフレーム１０８の振分け先として、処理回路振分け回路３７２（３７２−１〜３７２−Ｎ）に対して指定する。振分け判定回路３７１（３７１−１〜３７１−Ｎ）は、内部にメモリＭ１３を備えており、このメモリＭ１３に振分け先のフレーム再生回路番号が書き込まれている。
【０１３０】
処理回路振分け回路３７２（３７２−１〜３７２−Ｎ）は、振分け判定回路３７１（３７１−１〜３７１−Ｎ）からの振分け先の指定を受け、振分け判定回路３７１（３７１−１〜３７１−Ｎ）から送られてくる振分け先の判定が終了した下りフレーム１０８を、指定されたフレーム再生回路１２に出力する。このような構成にすることで、同一の下りフレーム処理回路３６からの下りフレーム１０８は全て、同一のフレーム再生回路１２へと出力できる。
【０１３１】
なお、下りフレーム１０８のタグもしくはプリアンブル領域等に格納されている識別子を抽出し、その識別子の値に対応するフレーム再生回路番号を下りフレーム１０８の振分け先として、処理回路振分け回路３７２（３７２−１〜３７２−Ｎ）に対して指定しても良い。この場合、振分け判定回路３７１（３７１−１〜３７１−Ｎ）のメモリ１３には、抽出した識別子の値に対応する振分け先のフレーム再生回路番号を書き込む。このようにすることにより、任意の下りフレーム１０８を任意のフレーム再生回路１２へと出力することもできる。
【０１３２】
次に、図２２を用いて実施例４のＯＬＴ１Ｄの動作例について説明する。具体的な例として、１ＰＯＮポートあたりの最大収容数が３２台の４ＰＯＮポートＯＬＴを想定する。すなわち、１つのフレーム処理回路３２、制御フレーム処理回路３４、及び、下りフレーム処理回路３６は３２台のＯＮＵ３に相当する処理能力を有し、ＯＬＴ１Ｄは最大１２８台のＯＮＵ３を収容可能とする。
【０１３３】
また、このＯＬＴ１Ｄに対し、ＰＯＮポート＃１〜４にはそれぞれ、２０台、１８台、１５台、１０台のＯＮＵ３が接続されているものとする。また、ＰＯＮポート＃１に接続する各ＯＮＵ３からの上りフレームには、ＬＬＩＤとして「１〜２０」が付され、ＰＯＮポート＃２に接続する各ＯＮＵ３からの上りフレームには、ＬＬＩＤとして「１０１〜１１８」が付され、ＰＯＮポート＃３に接続する各ＯＮＵ３からの上りフレームには、ＬＬＩＤとして「２０１〜２１５」が付され、ＰＯＮポート＃４に接続する各ＯＮＵ３からの上りフレームには、ＬＬＩＤとして「３０１〜３１０」が付されるものとする。
【０１３４】
また、各ＰＯＮポートに接続されていたＯＮＵ３との光伝送は、全てＰＯＮポート＃１に片寄せして運用するものとし、全てのＯＮＵ３からの上りフレーム１０７（上り制御フレーム１０２＋上りデータフレーム１０４）は光信号の段階で１つに束ねられて上り重畳フレーム１０１とされ、光トランシーバ１を通り、フレーム再生回路１２−１を通して、上り振り分け回路３１に入力され、全てのＯＮＵ３への下りフレーム１０８（下り制御フレーム１０３＋下りデータフレーム１０５）は下り振り分け回路３７から出力した電気信号の段階で１つに束ねられて重畳フレーム（下り重畳フレーム）１０６とされ、フレーム再生回路１２−１を通り、光トランシーバ１１−１を通して、全てのＯＮＵ３に向けて出力されるものとする。すなわち、ＯＬＴ１Ｄが備える光トランシーバ１１と光トランシーバ１１によって電気信号に変換されたフレームを再生するフレーム再生回路１２の個数は１つとする。
【０１３５】
上り振り分け回路３１（図１６参照）において、振分け判定回路３１１−１は、フレーム再生回路１２−１を通して重畳フレーム１０１が入力されると、その重畳フレーム１０１に束ねられている上りフレーム１０７のプリアンブル領域から抽出したＬＬＩＤの判定を行い、ＬＬＩＤの値に対応するフレーム処理回路番号を上りフレーム１０７の振り分け先として処理回路振分け回路３１２−１に対して指定する。
【０１３６】
ここで、上り振り分け回路３１内の振分け判定回路３１１−１が備えるメモリＭ８1には、ＬＬＩＤが「１〜２０」の上りフレーム１０７はフレーム処理回路３２−１へ、ＬＬＩＤが「１０１〜１１８」の上りフレーム１０７はフレーム処理回路３２−２へ、ＬＬＩＤが「２０１〜２１５」およびＬＬＩＤが「３０１〜３１０」の上りフレーム１０７はフレーム処理回路３２−３３へ、それぞれ出力するように、ＬＬＩＤに対応する振分け先のフレーム処理回路番号が書き込まれているものとする。
【０１３７】
この場合、振分け判定回路３１１−１によって、ＰＯＮポート＃１に全ＯＮＵ３を片寄せする前はＰＯＮポート＃１に接続さた２０台のＯＮＵ３からの上りフレーム１０７は、フレーム処理回路３２−１に振り分けられる。同様に、ＰＯＮポート＃１に全ＯＮＵ３を片寄せする前はＰＯＮポート＃２に接続された１８台のＯＮＵ３からの上りフレーム１０７は、フレーム処理回路３２−２に振り分けられる。また、ＰＯＮポート＃１に全ＯＮＵ３を片寄せする前はＰＯＮポート＃３に接続された１５台のＯＮＵ３とＰＯＮポート＃１に全ＯＮＵ３を片寄せする前はＰＯＮポート＃４に接続された１０台のＯＮＵ３からの上りフレーム１０７は、フレーム処理回路３２−３に振り分けられる。
【０１３８】
これにより、フレーム処理回路３２−１ではＯＮＵ２０台、フレーム処理回路３２−２ではＯＮＵ１８台、フレーム処理回路３２−３ではＯＮＵ２５台（＝１５台＋１０台）に相当する上りフレーム１０７がそれぞれ処理され、フレーム処理回路３２−１〜３２−３３から処理後の上りフレーム１０７が上り振り分け回路３３へと出力される。
【０１３９】
上り振り分け回路３３（図１７参照）において、振分け判定回路３３１−１は、フレーム処理回路３２−１を通して上りフレーム１０７が入力されると、予め設定によって決められた制御フレーム処理回路番号を上りフレーム１０７に含まれている上り制御フレーム１０２の振り分け先として処理回路振分け回路３３２−１に対して指定する。
【０１４０】
この例では、フレーム処理回路３２−１から入力された上り制御フレーム１０２については制御フレーム処理回路３４−１が振り分け先として設定され、フレーム処理回路３２−２から入力された上り制御フレーム１０２については制御フレーム処理回路３４−２が振り分け先として設定され、フレーム処理回路３２−３から入力された上り制御フレーム１０２については制御フレーム処理回路３４−３が振り分け先として設定されている。
【０１４１】
なお、上り振り分け回路３１と同様に、上りフレーム１０７のプリアンブル領域から抽出したＬＬＩＤの判定を行い、ＬＬＩＤの値に対応する制御フレーム処理回路番号を上りフレーム１０７に含まれている上り制御フレーム１０２の振り分け先として処理回路振分け回路３３２に対して指定しても良い。
【０１４２】
これにより、制御フレーム処理回路３４−１ではＯＮＵ２０台、制御フレーム処理回路３４−２ではＯＮＵ１８台、制御フレーム処理回路３４−３ではＯＮＵ２５台（＝１５台＋１０台）に相当する上り制御フレーム１０２がそれぞれ処理され、制御フレーム処理回路３４−１〜３４−３から処理後の下り制御フレーム１０３が下り振り分け回路３５へと出力される。
【０１４３】
下り振り分け回路３５（図１９参照）において、制御フレーム処理回路３４−１〜３４−３からの下り制御フレーム１０３は、出力先切替回路３５２−１〜３５２−３に入力される。出力先切替回路３５２−１〜３５２−３は、制御フレーム処理回路３４−１〜３４−３からの下り制御フレーム１０３を、出力先指定回路３５１−１〜３５１−３が指定する予め設定によって決められた下りフレーム処理回路３６へと振り分ける。
【０１４４】
この例では、制御フレーム処理回路３４−１から入力された下り制御フレーム１０３については下りフレーム処理回路３６−１が振り分け先として設定され、制御フレーム処理回路３４−２から入力された下り制御フレーム１０３については下りフレーム処理回路３６−２が振り分け先として設定され、制御フレーム処理回路３４−３から入力された下り制御フレーム１０３については下りフレーム処理回路３６−３が振り分け先として設定されている。
【０１４５】
これにより、下りフレーム処理回路３６−１ではＯＮＵ２０台、下りフレーム処理回路３６−２ではＯＮＵ１８台、下りフレーム処理回路３６−３ではＯＮＵ２５台（＝１５台＋１０台）に相当する下り制御フレーム１０３がそれぞれ処理され、下りフレーム処理回路３６−１〜３６−３から処理後の下り制御フレーム１０３が下り振り分け回路３７へと出力される。
【０１４６】
図２３を用いて、下り振り分け回路３５における下りデータフレームに係る動作を説明する。１ＰＯＮポートあたりの最大収容数が３２台という基準に従って、制御フレーム処理回路３４と同様、１つの下りデータフレーム処理回路３５８は３２台のＯＮＵに相当する処理能力を有する。また、上位装置４がＯＬＴ１Ｄに向けて出力する各下りデータフレーム１０５において、ＰＯＮポート＃１に接続する各ＯＮＵ３への下りデータフレーム１０５にはＶＬＡＮ−ＩＤが「１〜２０」のＶＬＡＮタグが付され、ＰＯＮポート＃２に接続する各ＯＮＵ３への下りデータフレーム１０５にはＶＬＡＮ−ＩＤが「１０１〜１１８」のＶＬＡＮタグが付され、ＰＯＮポート＃３に接続する各ＯＮＵ３への下りデータフレーム１０５にはＶＬＡＮ−ＩＤが「２０１〜２１５」のＶＬＡＮタグが付され、ＰＯＮポート＃４に接続する各ＯＮＵ３への下りデータフレーム１０５にはＶＬＡＮ−ＩＤが「３０１〜３１０」のＶＬＡＮタグが付されるものとする。
【０１４７】
下り振り分け回路３５において、振分け判定回路３５６は、ＯＬＴ１Ｄの上位装置４から下りデータフレーム１０５が入力されると、その下りデータフレーム１０５のＶＬＡＮタグから抽出したＶＬＡＮ−ＩＤの判定を行い、ＶＬＡＮ−ＩＤの値に対応する下りデータフレーム処理回路番号を下りデータフレーム１０５の振り分け先として処理回路振分け回路３５７に対して指定する。
【０１４８】
ここで、下り振り分け回路３５内の振分け判定回路３５６が備えるメモリＭ１１には、ＶＬＡＮ−ＩＤが「１〜２０」の下りデータフレーム１０５は下りデータフレーム処理回路３５８−１へ、ＶＬＡＮ−ＩＤが「１０１〜１１８」の下りデータフレーム１０５は下りデータフレーム処理回路３５８−２へ、ＶＬＡＮ−ＩＤが「２０１〜２１５」およびＶＬＡＮ−ＩＤが「３０１〜３１０」の下りデータフレーム１０５は下りデータフレーム処理回路３５８−３へ、それぞれ出力するように、ＶＬＡＮ−ＩＤに対応する振分け先の下りデータフレーム処理回路番号が書き込まれているものとする。
【０１４９】
この場合、振分け判定回路３５６によって、ＰＯＮポート＃１に全ＯＮＵ３を片寄せする前はＰＯＮポート＃１に接続された２０台のＯＮＵ３への下りデータフレーム１０５は、下りデータフレーム処理回路３５８−１に振り分けられる。同様に、ＰＯＮポート＃１に全ＯＮＵ３を片寄せする前はＰＯＮポート＃２に接続された１８台のＯＮＵ３への下りデータフレーム１０５は、下りデータフレーム処理回路３５８−２に振り分けられる。また、ＰＯＮポート＃１に全ＯＮＵ３を片寄せする前はＰＯＮポート＃３に接続された１５台のＯＮＵ３とＰＯＮポート＃１に全ＯＮＵ３を片寄せする前はＰＯＮポート＃４に接続された１０台のＯＮＵ３への下りデータフレーム１０５は、下りデータフレーム処理回路３５８−３に振り分けられる。
【０１５０】
これにより、下りデータフレーム処理回路３５８−１ではＯＮＵ２０台、下りデータフレーム処理回路３５８−２ではＯＮＵ１８台、下りデータフレーム処理回路３５８−３ではＯＮＵ２５台（＝１５台＋１０台）に相当する下りデータフレーム１０５がそれぞれ処理され、それぞれ、データ出力先切替回路３５９−１〜３５９−３へと出力される。
【０１５１】
データ出力先切替回路３５９−１〜３５９−３は、下りデータフレーム処理回路３５４−１〜３５４−３からの下りデータフレーム１０５を、データ出力先指定回路３５８−１１〜３５８−３が指定する予め設定によって決められた下りフレーム処理回路３６へと振り分ける。
【０１５２】
この例では、下りデータフレーム処理回路３５８−１から入力された下りデータフレーム１０５については下りフレーム処理回路３６−１が振り分け先として設定され、下りデータフレーム処理回路３５８−２から入力された下りデータフレーム１０５については下りフレーム処理回路３６−２が振り分け先として設定され、下りデータフレーム処理回路３５８−３から入力された下りデータフレーム１０５については下りフレーム処理回路３６−３が振り分け先として設定されている。
【０１５３】
これにより、下りフレーム処理回路３６−１ではＯＮＵ２０台、下りフレーム処理回路３６−２ではＯＮＵ１８台、下りフレーム処理回路３６−３ではＯＮＵ２５台（＝１５台＋１０台）に相当する下りデータフレーム１０５がそれぞれ処理され、下りフレーム処理回路３６−１〜３６−３から処理後の下りデータフレーム１０５が下り振り分け回路３７へと出力される。
【０１５４】
下り振り分け回路３７（図２１参照）において、下りフレーム処理回路３６−１〜３６−３からの下りフレーム１０８（下り制御フレーム１０３＋下りデータフレーム１０５）は、振り分け判定回路３７１−１〜３７１−３に入力される。処理回路振分け回路３７２−１〜３７２−３は、下りフレーム処理回路３６−１〜３６−３からの下りフレーム１０８を、振り分け判定回路３７１−１〜３７１−３が指定する予め設定によって決められたフレーム再生回路１２へと振り分ける。
【０１５５】
この例では、全ての振分け判定回路３７１（３７１−１〜３７１−Ｎ）には、出力先のフレーム再生回路１２として上り重畳フレーム１０１の出力元であるフレーム再生回路１２−１が設定されている。これにより、下り振り分け回路３７へと入力された下りフレーム１０８は、下り振り分け回路３７から出力された電気信号の段階で１つに束ねられて下り重畳フレーム１０６とされ、全てフレーム再生回路１２１へと送られる。
【０１５６】
このＯＬＴ１Ｄでは、１ＰＯＮポートあたりの収容数３２台、ＯＬＴ全体の最大収容数１２８台に対して、計６３台のＯＮＵ３が収容されているが、ＰＯＮポート＃１に片寄せした運用によって、１ＰＯＮポート当たりの収容数が６３台に増加する。これにより、使用しない回路に対して予め電源を遮断することができる。
【０１５７】
すなわち、本動作例では、ＯＬＴ１Ｄ内で使用する回路は光トランシーバ１１−１、フレーム再生回路１２−１、フレーム処理回路３２−１〜３２−３、制御フレーム処理回路３４−１〜３４−３、下りフレーム処理回路３６−１〜３６−３、上り振り分け回路３１、上り振り分け回路３３、下り振り分け回路３５、下り振り分け回路３７となり、その他の回路（光トランシーバ１１−２〜１１−４、フレーム再生回路１２−２〜１２−４、フレーム処理回路３２−４、制御フレーム処理回路３４−４、下りフレーム処理回路３６−４）の電源を遮断することが可能となる。
【０１５８】
また、ＰＯＮポート＃３に接続された１５台のＯＮＵ３およびＰＯＮポート＃４に接続された１０台のＯＮＵ３からの上り制御フレーム１０２を制御フレーム処理回路３４−３に振り分けて処理させることにより、制御フレーム処理回路３４−３の利用効率が高められる。また、制御フレーム処理回路３４−３の利用効率を高めることにより、使用する必要のない制御フレーム処理回路として制御フレーム処理回路３４−４が生じており、この制御フレーム処理回路３４−４の電源を予め遮断することにより、電力の無駄をなくすことができる。
【０１５９】
また、ＰＯＮポート＃３に接続された１５台のＯＮＵ３およびＰＯＮポート＃４に接続された１０台のＯＮＵ３からの上りフレーム１０７（上り制御フレーム１０２＋上りデータフレーム１０４）をフレーム処理回路３２−３に振り分けて処理させることにより、フレーム処理回路３２−３の利用効率が高められる。また、フレーム処理回路３２−３の利用効率を高めることにより、使用する必要のないフレーム処理回路３２としてフレーム処理回路３２−４が生じており、このフレーム処理回路３２−４の電源を予め遮断することにより、電力の無駄をなくすことができる。
【０１６０】
また、ＰＯＮポート＃３に接続された１５台のＯＮＵ３およびＰＯＮポート＃４に接続された１０台のＯＮＵ３への下りデータフレーム１０５を下りデータフレーム処理回路３５８−３に振り分けて処理させることにより、下りデータフレーム処理回路３５８−３の利用効率が高められる。また、下りデータフレーム処理回路３５８−３の利用効率を高めることにより、使用する必要のない下りデータフレーム処理回路として下りデータフレーム処理回路３５８−４が生じており、この下りデータフレーム処理回路３５８−４の電源を予め遮断することにより、電力の無駄をなくすことができる。
【０１６１】
また、ＰＯＮポート＃３に接続された１５台のＯＮＵ３およびＰＯＮポート＃４に接続された１０台のＯＮＵ３への下りフレームを下りフレーム処理回路３６−３に振り分けて処理させることにより、下りフレーム処理回路３６−３の利用効率が高められる。また、下りフレーム処理回路３６−３の利用効率を高めることにより、使用する必要のない下りフレーム処理回路として下りフレーム処理回路３６−４が生じており、この下りフレーム処理回路３６−４の電源を予め遮断することにより、電力の無駄をなくすことができる。
【０１６２】
なお、上述した動作例では、１ＰＯＮポート（ＰＯＮポート＃１）に片寄せして運用するシステム形態について説明したが、これに限られるものでもない。例えば、２ＰＯＮポートに片寄せする場合も有りうる。２ＰＯＮポート＃に片寄せする場合、全てのＯＮＵ３からの上りフレームを２つのグループに分けて束ねた２つの上り重畳フレーム１０１を２つのフレーム再生回路１２を通して上り振り分け回路３１に入力し、この２つの上り重畳フレーム１０１に束ねられている上りフレーム１０７をそのフレームに付されている情報（ＬＬＩＤ等）に基づいて所定のフレーム処理回路３２へ振り分けるようにする。どのＰＯＮポートに片寄せするかや、どのＰＯＮポートに対応するフレーム再生回路１２へ下り重畳フレーム１０６を出力するかは、システム設計者が任意に決定できる。
【０１６３】
また、上述した動作例において具体的な数値を用いて説明したが、動作例の数値はあくまでも一例であり、その他の値もとりうることは言うまでもない。
【０１６４】
〔実施例の拡張〕
以上、実施例を参照して本発明を説明したが、本発明は上記の実施例に限定されるものではない。本発明の構成や詳細には、本発明の技術思想の範囲内で当業者が理解し得る様々な変更をすることができる。また、各実施の形態については、矛盾しない範囲で任意に組み合わせて実施することができる。
【産業上の利用可能性】
【０１６５】
本発明は、光伝送路を介して接続された複数の加入者側装置と上位装置との間でフレームを転送処理する光伝送システムにおける局側装置として利用することができる。
【符号の説明】
【０１６６】
１（１Ａ〜１Ｄ）…ＯＬＴ、２…光スプリッタ、３…ＯＮＵ、４…外部ネットワーク（上位装置）、５，６…光ファイバ、１１…光トランシーバ、１２…フレーム再生回路、１３…ＰＯＮ制御回路、１４（１４Ａ，１４Ｂ）…上り振り分け回路、１５（１５Ａ，１５Ｂ）…下り振り分け回路、２１…上り振り分け回路、２２…下り振り分け回路、２３…制御フレーム処理回路、３１…上り振り分け回路（第２の上り振り分け回路）、３２…フレーム処理回路、３３…上り振り分け回路（第１の上り振り分け回路）、３４…制御フレーム処理回路、３５…下り振り分け回路（第２の下り振り分け回路）、３６…下りフレーム処理回路、３７…下り振り分け回路（第１の下り振り分け回路）、１３１…制御フレーム処理回路、２１０…上り制御フレーム振り分け回路、２２０…下り制御フレーム振り分け回路、２２３…下りデータフレーム処理回路振り分け回路、２２４…下りデータフレーム処理回路、２２５…下りデータフレーム振り分け回路、３１０…上り制御フレーム振り分け回路、３３３…上りデータフレーム処理回路、３５０…下り制御フレーム回路、３５３…下りデータフレーム処理回路振り分け回路、３５４…下りデータフレーム処理回路、３５３…下りデータフレーム振り分け回路、３７０…下りフレーム振り分け回路、１００…光伝送システム。
【図１】
0006467053.tif 000002
【図２】
0006467053.tif 000003
【図３】
0006467053.tif 000004
【図４】
0006467053.tif 000005
【図５】
0006467053.tif 000006
【図６】
0006467053.tif 000007
【図７】
0006467053.tif 000008
【図８】
0006467053.tif 000009
【図９】
0006467053.tif 000010
【図１０】
0006467053.tif 000011
【図１１】
0006467053.tif 000012
【図１２】
0006467053.tif 000013
【図１３】
0006467053.tif 000014
【図１４】
0006467053.tif 000015
【図１５】
0006467053.tif 000016
【図１６】
0006467053.tif 000017
【図１７】
0006467053.tif 000018
【図１８】
0006467053.tif 000019
【図１９】
0006467053.tif 000020
【図２０】
0006467053.tif 000021
【図２１】
0006467053.tif 000022
【図２２】
0006467053.tif 000023
【図２３】
0006467053.tif 000024
【図２４】
0006467053.tif 000025
【図２５】
0006467053.tif 000026
【図２６】
0006467053.tif 000027
【図２７】
0006467053.tif 000028
【図２８】
0006467053.tif 000029
【図２９】
0006467053.tif 000030
【図３０】
0006467053.tif 000031